(57)【要約】【課題】制御基板が残高情報を認識するための処理負担を軽減させる。【解決手段】所定の記憶媒体に記憶された残高情報を読み出す記憶媒体処理装置とともに設けられ、上記残高情報に基づいて付与または貸与された遊技価値を利用して遊技を行う遊技機において、複数のセグメント素子を有し、該セグメント素子の各々についての点灯の有無を指定する複数のセグメント信号を上記記憶媒体処理装置から受け取って、該複数のセグメント信号に対応する上記セグメント素子を点灯状態あるいは消灯状態とすることにより、上記残高情報を表示するセグメント表示器を備える。さらに、上記記憶媒体処理装置から上記セグメント表示器のセグメント素子に向けて出力される複数のセグメント信号を取得する中継基板を備える。中継基板は、セグメント信号に基づいて残高情報を特定し、特定した残高情報を制御基板に出力する。【選択図】図８
2019013402.tif 000002
【特許請求の範囲】
【請求項１】
所定の記憶媒体に記憶された残高情報、または前記記憶媒体の識別情報に対応付けて記憶された残高情報のうち、少なくとも一方の残高情報を読み出す記憶媒体処理装置とともに設けられ、前記残高情報に基づいて付与または貸与された遊技価値を利用して遊技を行う遊技機であって、
複数のセグメント素子を有し、該セグメント素子の各々についての点灯の有無を指定する複数のセグメント信号を前記記憶媒体処理装置から受け取って、該複数のセグメント信号に対応する前記セグメント素子を点灯状態あるいは消灯状態とすることにより、前記残高情報を表示するセグメント表示器と、
前記記憶媒体処理装置から前記セグメント表示器のセグメント素子に向けて出力される複数の前記セグメント信号を取得して、前記セグメント表示器によって表示される前記残高情報を特定する残高情報特定手段と、
前記特定された残高情報を、前記遊技に関する処理を実行する制御基板に出力する出力手段と
を備えたことを特徴とする遊技機。
【請求項２】
請求項１に記載された遊技機であって、
前記残高特定手段は、前記残高情報を特定するとともに、該残高情報が更新されたか否かを判定し、
前記出力手段は、更新されたと判定されると、更新後の前記残高情報を前記制御基板に出力する
ことを特徴とする遊技機。
【発明の詳細な説明】
【技術分野】
【０００１】
本発明は、遊技価値を利用して遊技を行う遊技機に関する。
【背景技術】
【０００２】
遊技ホールには、遊技価値（例えば、遊技媒体や遊技ポイントなど）を利用して遊技を行う遊技機（例えば、パチンコ機やスロットマシンなど）が複数設置されている。これらの各遊技機の側方には、所定の記憶媒体（例えば、プリペイドカードや、会員カードなど）を受け付ける記憶媒体処理装置が設けられており、遊技機などに設けられた所定の操作部（例えば、球貸ボタン）が操作されると、その記憶媒体の残高に基づいて、遊技者に遊技価値が付与または貸与される。
【０００３】
こうしたシステムに対応した遊技機には、残高情報（例えば、残高度数）を表示する残高表示部が設けられており、記憶媒体処理装置から出力された信号を受けて残高情報が表示される（例えば、特許文献１）。また、上述した残高表示部は、一般的に７セグメント表示器で構成されており、記憶媒体処理装置から出力されるセグメント信号によって各セグメント素子の点灯状態が制御されることで、残高情報が表示されるようになっている。このため、遊技機側で表示制御を行うことなく、残高表示部に残高情報を表示させることが可能となっている。さらに、この残高情報は、表示演出が実行される表示部でも表示させるなど活用の幅を広げる余地がある。
【先行技術文献】
【特許文献】
【０００４】
【特許文献１】特開２０１５−１１０１８８号公報
【発明の概要】
【発明が解決しようとする課題】
【０００５】
しかし、上述した制御基板が残高情報を認識するためには、セグメント信号によって表される数値を特定しなければならないので、そのための処理負担がかかるという問題があった。
【０００６】
本発明は、上述した課題を解決するためになされたものであり、制御基板の処理負担を軽減しつつ残高情報を認識させることが可能な技術を提供することを目的とする。
【課題を解決するための手段】
【０００７】
上述した課題の少なくとも一部を解決するために、本発明の遊技機では次の構成を採用した。すなわち、
所定の記憶媒体に記憶された残高情報、または前記記憶媒体の識別情報に対応付けて記憶された残高情報のうち、少なくとも一方の残高情報を読み出す記憶媒体処理装置とともに設けられ、前記残高情報に基づいて付与または貸与された遊技価値を利用して遊技を行う遊技機であって、
複数のセグメント素子を有し、該セグメント素子の各々についての点灯の有無を指定する複数のセグメント信号を前記記憶媒体処理装置から受け取って、該複数のセグメント信号に対応する前記セグメント素子を点灯状態あるいは消灯状態とすることにより、前記残高情報を表示するセグメント表示器と、
前記記憶媒体処理装置から前記セグメント表示器のセグメント素子に向けて出力される複数の前記セグメント信号を取得して、前記セグメント表示器によって表示される前記残高情報を特定する残高情報特定手段と、
前記特定された残高情報を、前記遊技に関する処理を実行する制御基板に出力する出力手段と
を備えることを特徴とする。
【０００８】
また、上述した本発明の遊技機においては、
前記残高特定手段は、前記残高情報を特定するとともに、該残高情報が更新されたか否かを判定し、
前記出力手段は、更新されたと判定されると、更新後の前記残高情報を前記制御基板に出力する
こととしてもよい。
【０００９】
尚、本明細書において、「前」および「表」は「遊技者に近接する側（遊技者から見て手前側）」を示し、「後」および「裏」は「遊技機の遊技者から離間する側（遊技者から見て奥側）」を示す。また、「上」とは遊技者から見て「上」であることを示し、「下」とは遊技者から見て「下」であることを示し、「左」とは遊技者から見て「左」であることを示し、「右」とは遊技者から見て「右」であることを示す。
【発明の効果】
【００１０】
本発明によれば、制御基板が残高情報を認識するための処理負担を軽減させることができる。
【図面の簡単な説明】
【００１１】
【図１】本実施例のパチンコ機の正面図である。
【図２】本実施例の遊技盤の盤面構成を示す説明図である。
【図３】本実施例のパチンコ機の性能を示した説明図である。
【図４】本実施例の演出表示装置の表示内容を例示する説明図である。
【図５】本実施例のパチンコ機における制御回路の構成を示したブロック図である。
【図６】本実施例のパチンコ機がカードユニットとの間でやり取りする信号を概念的に示した説明図である。
【図７】本実施例のパチンコ機の度数表示器とカードユニットとの間で接続される信号線を示した説明図である。
【図８】本実施例のパチンコ機の中継基板で実行される残度数特定処理を示すフローチャートである。
【図９】本実施例のカードユニットが出力したセグメント信号に基づいて残度数を特定する様子を示した説明図である。
【図１０】本実施例のパチンコ機の主制御基板で実行される遊技制御処理を示すフローチャートである。
【図１１】本実施例のパチンコ機の主制御基板で実行される残高情報取得処理を示すフローチャートである。
【図１２】本実施例のパチンコ機の主制御基板で実行される特別動作処理を示すフローチャートである。
【図１３】本実施例のパチンコ機の主制御基板で実行される特別図柄待機処理を示すフローチャートである。
【図１４】本実施例の変動パターン選択テーブルを示した説明図である。
【図１５】本実施例のパチンコ機の主制御基板で実行される特別変動中処理を示すフローチャートである。
【図１６】本実施例のパチンコ機の主制御基板で実行される特別図柄確定処理を示すフローチャートである。
【図１７】本実施例のパチンコ機の主制御基板で実行される特別電動役物処理の第１部分を示すフローチャートである。
【図１８】本実施例のパチンコ機の主制御基板で実行される特別電動役物処理の第２部分を示すフローチャートである。
【図１９】本実施例のパチンコ機の主制御基板で実行される特別電動役物処理の第３部分を示すフローチャートである。
【図２０】本実施例のパチンコ機のサブ制御基板で実行される演出制御処理を示すフローチャートである。
【図２１】サブ制御基板が、主制御基板から受信したコマンドに対応して実行する処理を示した説明図である。
【図２２】表示演出装置を利用した特定演出が実行される様子を示した説明図である。
【図２３】残高情報と特定演出の実行確率との対応関係を示した説明図である。
【図２４】表示演出装置を利用したカード報知演出が実行されている様子を示した説明図である。
【図２５】大当り状態の終了後にカード報知演出が実行される様子を時系列で示した説明図である。
【発明を実施するための形態】
【００１２】
上述した本発明の実施例について説明する。以下の実施例は次のような順序に従って説明する。
Ａ．パチンコ機の構成：
Ａ−１．装置前面側の構成：
Ａ−２．遊技盤の構成：
Ａ−３．制御回路の構成：
Ｂ．中継基板の残度数特定処理：
Ｃ．遊技制御処理：
Ｄ．演出制御処理：
Ｅ．特定演出：
Ｆ．カード報知演出：
【００１３】
Ａ．パチンコ機の構成  ：
Ａ−１．装置前面側の構成  ：
図１は、上述したパチンコ機１の正面図である。図１に示すように、パチンコ機１の前面側には、前面枠４が設けられている。前面枠４の略中央部には窓部４ａが形成されており、この窓部４ａには合成樹脂製の透明板４ｂが嵌め込まれている。遊技者は、窓部４ａ（透明板４ｂ）を通して奥側に配置される遊技盤２０（図２参照）の遊技領域を視認可能である。また、前面枠４における窓部４ａの右下方には、小窓部４ｃが形成されており、この小窓部４ｃには合成樹脂板等の透明板４ｄが嵌め込まれている。遊技者は、小窓部４ｃ（透明板４ｄ）を通して奥側に配置された遊技盤２０のセグメント表示部５０（図２参照）を視認可能である。詳しくは後述するが、セグメント表示部５０とは、複数のＬＥＤの組合せによって遊技に係る情報を表示する表示部である。
【００１４】
前面枠４における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、前面枠４の中央に大きく開口した窓部４ａの左右上方にはスピーカー６が設けられている。これらの上部ランプ５ａ、右サイドランプ５ｂ、左サイドランプ５ｃ、スピーカー６は、遊技上の演出効果を高めるために駆動される。
【００１５】
前面枠４における窓部４ａの下方には、上皿部７が設けられている。上皿部７には、パチンコ機１から賞球として払い出される遊技球が貯留される。また、上皿部７には、パチンコ機１とともに設けられたカードユニット６０の残高情報に基づいて貸し出される遊技球も貯留される。
【００１６】
遊技球の貸し出しは、以下のように行われる。すなわち、パチンコ機１の近傍（本実施例では、パチンコ機１の側方）には、カードユニット６０が設けられており、カードユニット６０の紙幣投入口６１に紙幣が投入されると、その金額分のプリペイドカードが購入される。例えば、千円が投入された場合には、千円分として１０度数のプリペイドカードが購入され、一万円が投入された場合には、一万円分として１００度数のプリペイドカードが購入される。また、カードユニット６０には、カード挿入口６３が設けられており、カード挿入口６３から会員カードが挿入された状態で紙幣が投入されると、その金額分の度数が会員カードに記憶される。なお、カードユニット６０は、外部の管理装置などと通信可能となっている。このため、上述した度数の残りを、プリペイドカードや会員カードなどの記憶媒体に直接記憶させるのではなく、記憶媒体の識別情報と対応付けて、管理装置に記憶させるようにしてもよい。
【００１７】
記憶媒体に度数が残っている状態で、上述した上皿部７の上面に設けられた球貸ボタン１０が操作されると、パチンコ機１が、所定度数分（例えば、５度数分）の遊技球を上皿部７に払い出す。例えば、遊技球を１個につき４円で貸し出す場合には、５度数分の遊技球として１２５個払い出す。このようにして、遊技球が貸し出される。
【００１８】
なお、本実施例では、貸し出した遊技球を利用して遊技を行う遊技機を対象としているので、度数に応じて遊技球を貸し出す構成としたが、遊技球以外の遊技価値を利用して遊技を行う遊技機の場合には、その遊技機に対応した遊技価値を貸与または付与する。例えば、遊技ポイントのような無体物を利用して遊技を行う遊技機の場合には、度数に応じて遊技ポイントを付与する。
【００１９】
また、上皿部７には、残度数を表示する度数表示器１３が搭載されている。このため、遊技者は、度数表示器１３の表示内容を確認することで、残りの度数を把握することができる。また、上皿部７には、返却ボタン１１が設けられており、返却ボタン１１が押下されると、従業員等によって予め投入されていたプリペイドカードに残高が記憶され、残高が記憶されたプリペイドカードがカード挿入口６３から排出される。また、会員カードが挿入された状態で返却ボタン１１が押下されると、残高が記憶された会員カードが排出される。なお、球貸ボタン１０や、返却ボタン１１、度数表示器１３は、カードユニット６０に設けるようにしてもよいし、パチンコ機１とカードユニット６０との双方に設けるようにしてもよい。カードユニット６０に設ける場合には、例えば、操作部と表示部としての機能を兼ね備えたタッチパネル６２に搭載することができる。
【００２０】
また、上皿部７の下方には下皿部８が設けられており、上皿部７の容量を超えて貸し出された遊技球や、上皿部７の容量を超えて払い出された遊技球が貯留される。下皿部８の右方には、発射ハンドル９が設けられている。発射ハンドル９の回転軸は、発射ハンドル９の奥側に搭載された発射装置ユニット２６１（図５参照）に接続されている。この発射装置ユニット２６１には、上皿部７に貯留された遊技球が供給される。遊技者が発射ハンドル９を回転させると、その回転が発射装置ユニット２６１に伝達され、発射装置ユニット２６１に内蔵された発射モーター２６２（図５参照）が回転して、回転角度に応じた強さで遊技球が発射される。
【００２１】
前面枠４の背面側には中枠および本体枠が設けられている。前面枠４および中枠は、一端（図１における左側）が本体枠に対して軸支されており、前面枠４は中枠および本体枠に対して前方側に回動可能に支持され、中枠は本体枠に対して前方側に回動可能に支持されている。本体枠は、木製の板状部材を組み立てて構成された略長方形の枠体であり、パチンコ機１はこの本体枠が島設備に取り付けられることで遊技ホールに設置される。中枠の前面側には遊技盤２０が着脱可能に取り付けられており、前面枠４が中枠に対してパチンコ機１前方側に回動（開放）されると、遊技盤２０が露出された状態となる。
【００２２】
Ａ−２．遊技盤の構成  ：
図２は、遊技盤２０の盤面構成を示す説明図である。図２に示すように、遊技盤２０の中央には略円形状の遊技領域２１が形成されている。遊技領域２１の周囲には、発射装置ユニット２６１（図５参照）から発射された遊技球を遊技領域２１へ案内する案内通路が、外レール２２と内レール２３とによって形成されている。発射装置ユニット２６１から発射された遊技球は、この案内通路を通過して遊技領域２１に放出される。
【００２３】
遊技領域２１に放出された遊技球は、遊技領域２１の上部から下方に向かって流下する。遊技領域２１は、前面枠４の窓部４ａを通して遊技者に視認されるので、当然ながら、遊技領域２１を流下する遊技球の様子も窓部４ａを通して遊技者に視認されることとなる。
【００２４】
遊技領域２１の略中央には中央装置４０が設けられており、中央装置４０のほぼ中央には、演出表示装置４１が設けられている。演出表示装置４１は液晶表示器を有しており、この液晶表示器の表示画面上には、演出用の種々の画像を表示することが可能である。
【００２５】
遊技領域２１における中央装置４０（演出表示装置４１）の下方には、開口部の大きさが不変（一定）であり遊技球が常時入球可能な始動口である第１始動口２４が設けられている。第１始動口２４に入球した遊技球は、内部に設けられた通路を通って遊技盤２０の裏面側に導かれる。第１始動口２４の内部の通路には第１始動口センサー２４ｓ（図５参照）が設けられており、第１始動口２４に入球した遊技球を検知可能である。
【００２６】
また、遊技領域２１における第１始動口２４の下方には、遊技球の入球可能性が変化する入球口（始動口）である第２始動口２５が設けられている。第２始動口２５は、パチンコ機１の前後方向に回動可能な開閉扉２６を備えており、開閉扉２６が略直立して遊技球が入球不能（または入球困難）な閉鎖状態と、開閉扉２６がパチンコ機１の前方側に回動して遊技球が入球可能（または入球容易）な開放状態とに変化可能である。第２始動口２５に入球した遊技球は、内部に設けられた通路を通って遊技盤２０の裏面側に導かれる。第２始動口２５の内部の通路には第２始動口センサー２５ｓ（図５参照）が設けられており、第２始動口２５に入球した遊技球を検知することが可能となっている。
【００２７】
また、遊技領域２１において中央装置４０（演出表示装置４１）の右方には、普通図柄作動ゲート２７が設けられており、普通図柄作動ゲート２７の内部には、遊技球の通過を検知するゲートセンサー２７ｓ（図５参照）が設けられている。普通図柄作動ゲート２７を遊技球が通過した場合には、普図当り判定が行われる。そして、普図当り判定の結果、普図当りであった場合には、上述した開閉扉２６が開放状態となる。
【００２８】
また、遊技領域２１における第１始動口２４の右方には、略長方形状に大きく開口された大入賞口２８（可変入球口）が設けられている。大入賞口２８は、パチンコ機１の前後方向に回動可能な開閉扉２９を備えており、開閉扉２９が略直立して遊技球が入球不能な閉鎖状態と、開閉扉２９がパチンコ機１の前方側に回動して遊技球が入球可能な開放状態とに変化可能である。図２では、大入賞口２８が開放状態となっている様子が示されている。大入賞口２８に入球した遊技球は、内部に設けられた通路を通って遊技盤２０の裏面側に導かれる。大入賞口２８の内部の通路には大入賞口センサー２８ｓ（図５参照）が設けられており、大入賞口２８に入球した遊技球を検知可能である。上述した第１始動口２４または第２始動口２５に遊技球が入球すると大当り判定が行われ、大当り判定の結果が大当りであった場合に、遊技者にとって有利な大当り状態へ移行する。そして、大当り状態に移行すると、大入賞口２８が開放状態となる大当り遊技が実行される。
【００２９】
また、上述した各遊技装置の周辺には、遊技球が入球可能な一般入球口（図示省略）や、遊技球の流下経路に影響を与える風車型ホイールや多数の障害釘（図示省略）が設けられている。
【００３０】
第１始動口２４、第２始動口２５、一般入球口の何れかに遊技球が入球した場合は、所定数（本実施例では３個）の遊技球が遊技者に払い出され、大入賞口２８に遊技球が入球した場合は、所定数（本実施例では１３個）の遊技球が遊技者に払い出される。払い出される遊技球が通過する通路には払出検知センサー２４９（図５参照）が設けられており、払い出された遊技球を検知可能である。
【００３１】
遊技領域２１の最下部であって第２始動口２５の下方には、アウト口３３が設けられており、上述した第１始動口２４、第２始動口２５、大入賞口２８、一般入球口の何れにも入球しなかった遊技球は、アウト口３３から遊技盤２０の裏面側に排出される。
【００３２】
第１始動口２４、第２始動口２５、大入賞口２８、一般入球口、アウト口３３から遊技盤２０の裏面側に排出された遊技球は、不図示の排出球計数器にて計数される。排出球計数器には、１０個の遊技球が排出されると１回転する排出機構と、この排出機構が１回転したことを検知するアウト球検知センサーとが設けられており、このアウト球検知センサーによって排出球を１０個単位で検知することが可能である。
【００３３】
遊技盤２０における遊技領域２１の右下方には、ＬＥＤの組合せによって遊技に係る情報を表示するセグメント表示部５０が設けられている。セグメント表示部５０は、前面枠４に設けられた小窓部４ｃ（図１参照）を通して遊技者に視認される。
【００３４】
セグメント表示部５０には、上述した普図当り判定の結果を表示する普図表示部が設けられている。普通図柄作動ゲート２７を遊技球が通過して、その遊技球がゲートセンサー２７ｓによって検知されると、所定の判定乱数（後述する普図当り判定乱数）を取得し、該判定乱数に基づいて普図当りであるか外れであるかを判定する普図当り判定を行う。そして、この普図当り判定の結果に基づいて、普図表示部にて識別情報である普通図柄を変動表示させた後に停止表示させる。本実施例のパチンコ機１では、普図表示部には２個のＬＥＤが配置されており、普通図柄は、これら２個のＬＥＤのうち点灯するＬＥＤを切り換えることによって変動表示され、２個のＬＥＤのうち所定のＬＥＤを点灯した状態とすることで停止表示される。また、普通図柄として、２個のＬＥＤのうち左のＬＥＤを点灯させた普図当り図柄と、右のＬＥＤを点灯させた普図外れ図柄との２種類の図柄を停止表示可能である。普図当り判定の結果が普図当りである場合は普通図柄が普図当り図柄で停止表示され、普図当り判定の結果が普図外れである場合は普通図柄が普図外れ図柄で停止表示される。こうして普通図柄を普通当り図柄または普通外れ図柄で停止表示したら、停止表示された図柄を確定させるべく、図柄が停止表示された状態を所定の時間が経過するまで維持する表示（確定表示）を行う。そして、普通図柄が普図当り図柄で停止表示された場合は、第２始動口２５が開放状態となった後に閉鎖状態となる普図当り状態が設定される。
【００３５】
こうして普図当り状態が設定されると、前述した開閉扉２６が開放状態となり、第２始動口２５への入球が可能となる（または入球しやすくなる）。また、本実施例のパチンコ機１では、第２始動口２５への遊技球の入球頻度が低い非電サポ状態と、第２始動口２５への遊技球の入球頻度が高い電サポ状態とのうち何れか一方が選択的に設定可能となっている。第２始動口２５への遊技球の入球頻度を異ならせる方法としては、普通図柄の規定変動時間を異ならせる方法、普図当り判定における当選確率を異ならせる方法、普図当りとなった場合に開放状態とする開放時間を異ならせる方法、および普図当りとなった場合に開放状態とする回数を異ならせる方法のうち、何れか１つの方法または複数の方法の組み合わせを採用することができる。
【００３６】
セグメント表示部５０には、普通図柄作動ゲート２７への遊技球の通過に伴って取得された判定乱数（普図保留）の記憶数を表示する普図保留表示部が設けられている。普図当り判定や変動表示は、判定乱数の取得後（遊技球が普通図柄作動ゲート２７を通過後）に直ぐに行われるのではなく、取得された判定乱数を普図保留として一旦記憶する。そして、所定の条件が成立したら、記憶した普図保留に基づいて普図当り判定や普通図柄の変動表示を行う。このような普図保留は４個を上限として記憶される。こうして記憶された普図保留の数（普図保留数）が、普図保留表示部に表示される。例えば、普図保留表示部には２個のＬＥＤが配置されており、この普図保留表示部では、２個のＬＥＤのうち１個のＬＥＤを点灯することで普図保留数が１個であることを示し、２個のＬＥＤを点灯することで普図保留数が２個であることを示し、１個のＬＥＤを点滅することで普図保留数が３個であることを示し、２個のＬＥＤを点滅することで普図保留数が４個であることを示す。尚、本実施例のパチンコ機１では、普図保留が記憶されている場合において、普通図柄の変動表示中、普通図柄の確定表示中、普図当り状態中の何れでもなければ、最先に記憶された普図保留に係る普図当り判定および普通図柄の変動表示を行う。
【００３７】
セグメント表示部５０には、第１始動口２４への入球に伴って実行された大当り判定の結果を表示する第１特図表示部が設けられている。第１始動口２４に遊技球が入球して、第１始動口センサー２４ｓによって検知されると、所定の判定乱数（後述する大当り判定乱数、変動パターン選択乱数など）を取得し、該判定乱数に基づいて大当りであるか外れであるかを判定する大当り判定を行う。そして、第１特図表示部に識別情報としての第１の特別図柄（以下「第１特図」ともいう）を変動表示させた後に、大当り判定の結果に応じた第１特図を停止表示させる。第１特図の変動表示については、後述の「特別図柄の変動表示」で詳しく説明する。
【００３８】
セグメント表示部５０には、第１始動口２４への遊技球の入球に伴って取得された判定乱数（第１特図保留）の記憶数を表示する第１特図保留表示部が設けられている。第１始動口２４に遊技球が入球すると、上述したように大当り判定や変動表示が行われるものの、これらの大当り判定や変動表示は、遊技球が第１始動口２４に入球後に直ぐに行われるのではなく、取得された判定乱数を第１特図保留として一旦記憶する。そして、所定の条件が成立したら、記憶した第１特図保留に基づいて大当り判定や第１特図の変動表示を行う。このような第１特図保留は４個を上限として記憶される。こうして記憶された第１特図保留の数（第１特図保留数）が、第１特図保留表示部に表示される。例えば、第１特図保留表示部には２個のＬＥＤが配置されており、この第１特図保留表示部では、２個のＬＥＤのうち１個のＬＥＤを点灯することで第１特図保留数が１個であることを示し、２個のＬＥＤを点灯することで第１特図保留数が２個であることを示し、１個のＬＥＤを点滅することで第１特図保留数が３個であることを示し、２個のＬＥＤを点滅することで第１特図保留数が４個であることを示す。
【００３９】
セグメント表示部５０には、第２始動口２５への入球に伴って実行された大当り判定の結果を表示する第２特図表示部が設けられている。第２始動口２５に遊技球が入球して、第２始動口センサー２５ｓによって検知されると、所定の判定乱数（後述する大当り判定乱数、変動パターン選択乱数など）を取得し、該判定乱数に基づいて大当りであるか外れであるかを判定する大当り判定を行う。そして、第２特図表示部に識別情報としての第２の特別図柄（以下「第２特図」ともいう）を変動表示させた後に、大当り判定の結果に応じた第２特図を停止表示させる。第２特図の変動表示については、後述の「特別図柄の変動表示」で詳しく説明する。
【００４０】
セグメント表示部５０には、第２始動口２５への遊技球の入球に伴って取得された判定乱数（第２特図保留）の記憶数を表示する第２特図保留表示部が設けられている。第２始動口２５に遊技球が入球すると、上述したように大当り判定や変動表示が行われるものの、これらの大当り判定や変動表示は、遊技球が第２始動口２５に入球後に直ぐに行われるのではなく、取得された判定乱数を第２特図保留として一旦記憶する。そして、所定の条件が成立したら、記憶した第２特図保留に基づいて大当り判定や第２特図の変動表示を行う。このような第２特図保留は４個を上限として記憶される。こうして記憶された第２特図保留の数（第２特図保留数）が、第２特図保留表示部に表示される。例えば、第２特図保留表示部には２個のＬＥＤが配置されており、この第２特図保留表示部では、２個のＬＥＤのうち１個のＬＥＤを点灯することで第２特図保留数が１個であることを示し、２個のＬＥＤを点灯することで第２特図保留数が２個であることを示し、１個のＬＥＤを点滅することで第２特図保留数が３個であることを示し、２個のＬＥＤを点滅することで第２特図保留数が４個であることを示す。
【００４１】
＜特別図柄の変動表示＞
上述したように、第１始動口２４に遊技球が入球すると、第１特図表示部で第１特図が変動表示され、第２始動口２５に遊技球が入球すると、第２特図表示部で第２特図が変動表示される。第１特図表示部および第２特図表示部には、それぞれ８個のＬＥＤが配置されている。第１特図および第２特図（以下、これらを特に区別をしない場合は、まとめて「特別図柄」という）は、それぞれの表示部において、８個のＬＥＤのうち点灯するＬＥＤを切り換えることによって変動表示される。
【００４２】
特別図柄の変動パターンは、予め記憶された変動パターン選択テーブルを参照して選択される。ここで、変動パターンとは、特別図柄（第１特図または第２特図）が変動表示を開始してから停止表示するまでの時間であり、この時間のことを、以下では、規定変動時間（特に、特別図柄の規定変動時間のことを特図規定変動時間ともいう）という。
【００４３】
特別図柄の変動表示が開始されてから、選択された規定変動時間が経過すると、特別図柄が停止表示される。本実施例のパチンコ機１では、８個のＬＥＤのうち所定のＬＥＤを点灯した状態とすることで、特別図柄が停止表示される。第１特図としては、大当り図柄１〜１００、外れ図柄１０１の１０１種類の図柄を停止表示可能であり、第２特図としては、大当り図柄２０１〜３００、外れ図柄３０１の１０１種類の図柄を停止表示可能である。また、これらの図柄の種類は、点灯するＬＥＤの組合せの相違によって識別可能である。遊技球が第１始動口２４に入球することに基づく大当り判定（以下「第１特図についての大当り判定」ともいう）の結果が大当りである場合は、第１特図が大当り図柄１〜１００の何れかで停止表示され、第１特図についての大当り判定の結果が外れである場合は、第１特図が外れ図柄１０１で停止表示される。また、遊技球が第２始動口２５に入球することに基づく大当り判定（以下「第２特図についての大当り判定」ともいう）の結果が大当りである場合は、第２特図が大当り図柄２０１〜３００の何れかで停止表示され、第２特図についての大当り判定の結果が外れである場合は第２特図が外れ図柄３０１で停止表示される。こうして特別図柄（第１特図または第２特図）を大当り図柄または外れ図柄で停止表示したら、停止表示された図柄を確定させるべく、図柄が停止表示された状態を所定の時間が経過するまで維持する表示（以下「確定表示」ともいう）を行う。以下では、特別図柄が変動表示を開始してから、所定の規定変動時間の経過によって当該変動表示が終了して、特別図柄が大当り図柄または外れ図柄で確定表示されるまでの遊技、すなわち１回の変動表示の結果が得られるまでの遊技を「図柄変動遊技」と表現する。
【００４４】
尚、本実施例のパチンコ機１では、何れかの特別図柄の変動表示中や、何れかの特別図柄の確定表示中、大当り状態中は、第１特図保留や第２特図保留が記憶されていても、これらの保留に係る図柄変動遊技は行わない。また、第１特図保留および第２特図保留のうち第１特図保留のみが記憶されている場合は、最先に記憶された第１特図保留に係る図柄変動遊技を行うが、第２特図保留が記憶されている場合は第１特図保留が記憶されているか否かに拘わらず、最先に記憶された第２特図保留に係る図柄変動遊技を行う。すなわち、第２特図を第１特図に優先して変動表示させる（いわゆる第２特図の優先変動機能を有する）。
【００４５】
第１特図または第２特図が何れかの大当り図柄で停止表示（確定表示）されると、大当り状態に移行する。この大当り状態では、大入賞口２８が開放状態となるラウンド遊技が複数回行われる大当り遊技が実行される。図３には、本実施例のパチンコ機１の基本性能が示されている。図３に示すように、本実施例のパチンコ機１では、遊技者にとっての有利度合いが異なる複数種類の大当り状態が設定可能とされている。大当り状態の有利度合いを異ならせる方法としては、大別して、大当り状態中に付与する利益（例えば、遊技媒体の数）を異ならせる方法と、大当り状態の終了後に移行させる遊技状態を異ならせる方法との、２種類の方法がある。
【００４６】
大当り状態中に付与する利益を異ならせる方法としては、例えば、１回の大当り状態中に実行するラウンド遊技の実行回数を異ならせる方法がある。図３に示す例では、６回のラウンド遊技（６ラウンド大当り遊技）を実行する６ラウンド大当り状態と、１３回のラウンド遊技（１３ラウンド大当り遊技）を実行する１３ラウンド大当り状態とが実行可能とされており、１ラウンドあたりに付与される利益は同じであるため、１３ラウンド大当り状態の方が６ラウンド大当り状態よりも遊技者にとって有利な大当り状態となっている。
【００４７】
また、大当り状態の終了後に移行させる遊技状態を異ならせる方法としては、以下の方法がある。本実施例のパチンコ機１では、大当り判定が行われる遊技状態として、「大当り判定において大当りと判定される確率が低い（２９９分の１の確率である）低確率状態」および「大当り判定において大当りと判定される確率が高い（５０分の１の確率である）高確率状態」が設定可能とされている。そして、大当り状態には、大当り状態の終了後に低確率状態へ移行させる通常大当り状態と、大当り状態の終了後に高確率状態へ移行させる確変大当り状態とが設定可能とされており、確変大当り状態の方が通常大当り状態よりも遊技者にとって有利な大当り状態となっている。
【００４８】
本実施例のパチンコ機１では、確変大当り状態として、１３ラウンド大当り状態と６ラウンド大当り状態とが設定可能とされており、通常大当り状態として、６ラウンド大当り状態が設定可能とされている。大当り状態の振り分けは、第１特図についての大当り判定であるか、第２特図についての大当り判定であるかによって異なっている。第１特図についての大当り判定では、３％が１３ラウンドの確変大当り状態となっており、６２％が６ラウンドの確変大当り状態となっており、３５％が６ラウンドの通常大当り状態となっている。また、第２特図についての大当り判定では、６５％が１３ラウンドの確変大当り状態となっており、残りの３５％が６ラウンドの通常大当り状態となっている。
【００４９】
従って、第１特図についての大当り判定では、１３ラウンド大当り状態となる確率は僅か３％であり、大半の９７％が６ラウンド大当り状態となる。これに対し、第２特図についての大当り判定では、６５％が１３ラウンド大当り状態となっており、残りの３５％が６ラウンド大当り状態であるので、大当り状態となった場合に、多くの遊技媒体の払出が期待できる。その一方、確変大当り状態となる確率は、第１特図についての大当り判定であるか、第２特図についての大当り判定であるかに関わらず、同じ６５％となっている。このため、第２特図についての大当り判定は、第１特図についての大当り判定よりも遊技者にとって有利な大当り判定となっている。
【００５０】
確変大当り状態が終了した後は、高確率状態へ移行するとともに、前述した電サポ状態にも移行する。こうした高確率状態と電サポ状態とが設定された状態は、次回の大当りに当選するまで継続され、次回の大当りに当選すると終了する。
【００５１】
通常大当り状態が終了した後は、低確率状態へ移行するが、この場合にも電サポ状態が設定される。但し、この電サポ状態は、次回の大当りに当選するか、あるいは図柄変動遊技が所定回数実行されると終了して、非電サポ状態へ移行する。電サポ状態が終了となる図柄変動遊技の回数は、この電サポ状態への移行契機となった通常大当り状態が、第１特図についての大当り判定の結果に基づいて付与された場合には２０回、第２特図についての大当り判定の結果に基づいて付与された場合には１００回となっている。
【００５２】
なお、上述した例は、大当り状態の有利度合いを異ならせる方法の一例であり、大当り状態の有利度合いを異ならせることができるのであれば、別の方法を採用することもできる。例えば、大当り状態の終了後に移行させる遊技状態の終了条件を異ならせることで有利度合いを異ならせることができる。
【００５３】
例えば、大当り状態の終了後に、次回の大当りの当選によって終了する高確率状態（または電サポ状態）へ移行させる大当り状態と、図柄変動遊技が所定回数実行されると終了する高確率状態（または電サポ状態）へ移行させる大当り状態とを設定することもできる。
【００５４】
あるいは、大当り状態の終了後に、図柄変動遊技が所定の第１回数実行されると終了する高確率状態（または電サポ状態）へ移行させる大当り状態と、図柄変動遊技が上記第１回数よりも多い第２回数実行されると終了する高確率状態（または電サポ状態）へ移行させる大当り状態とを設定することもできる。
【００５５】
あるいは、大当り状態の終了後に、次回の大当りの当選によって終了する高確率状態（または電サポ状態）へ移行させる大当り状態と、図柄変動遊技を実行するごとに行われる抽選に当選する（外れる）と終了する高確率状態（または電サポ状態）へ移行させる大当り状態とを設定することもできる。
【００５６】
あるいは、大当り状態の終了後に、図柄変動遊技が実行されるごとに所定の第１確率で行われる抽選に当選する（外れる）と終了する高確率状態（または電サポ状態）へ移行させる大当り状態と、図柄変動遊技が実行されるごとに上記第１確率よりも高い第２確率で行われる抽選に当選する（外れる）と終了する高確率状態（または電サポ状態）へ移行させる大当り状態とを設定することもできる。
【００５７】
また、大当り状態中に所定の権利を獲得するとその大当り状態が終了した後に相対的に有利な遊技状態（例えば高確率状態や電サポ状態など）へ移行させる一方、上記所定の権利を獲得できなかった場合には大当り状態が終了した後に相対的に不利な遊技状態（例えば低確率状態や非電サポ状態など）へ移行させる遊技機においては、上記所定の権利を獲得する可能性が異なる複数種類の大当り状態を設定することもできる。
【００５８】
上述したように、本実施例のパチンコ機１では、大当り判定の結果が大当りであった場合には大当り図柄が停止表示されるが、この大当り図柄としては、大当り状態の種類に対応した大当り図柄が停止表示される。したがって、停止表示された特別図柄によって、大当りであるか外れであるかが示されるだけでなく、大当りである場合には、その大当りによって移行する大当り状態の種類も示される。
【００５９】
こうした基本性能を有する本実施例のパチンコ機１では、以下のようにして遊技が進行する。本実施例のパチンコ機１では、非電サポ状態、すなわち、第２始動口２５への入球頻度が低い状態から開始されるので、まずは第１始動口２４へ入球させるように遊技が行われる。遊技者は、発射ハンドル９の回転角度を調整することで遊技球の発射強度を調整することができ、中央装置４０の左右に打ち分けることができる。第１始動口２４は中央装置４０の左側の遊技領域２１に放出された遊技球が入球可能となっているため、非電サポ状態では、左側の遊技領域２１に遊技球を放出させる左打ちが行われる。第１始動口２４に遊技球が入球して大当り判定が行われ、その結果、大当りになると、大当り状態へ移行する。大当り状態へ移行すると大入賞口２８が開放状態となる。大入賞口２８は、中央装置４０の右側の遊技領域２１に放出された遊技球が入球可能となっているため、大当り状態では、右側の遊技領域２１に遊技球を放出させる右打ちが行われる。大当り状態が終了すると、電サポ状態が設定される。電サポ状態では、第２始動口２５への入球頻度が高くなるので、第２始動口２５および該第２始動口２５を開放状態とするための普通図柄作動ゲート２７へ入球させるように遊技が行われる。第２始動口２５および普通図柄作動ゲート２７はともに、右側の遊技領域２１に放出された遊技球が入球可能となっているため、電サポ状態では右打ちが行われる。そして、電サポ状態が終了すると、非電サポ状態となるので左打ちに戻される。
【００６０】
＜演出表示装置４１の表示内容＞
本実施例のパチンコ機１では、上述したような遊技の進行に合わせて、演出表示装置４１に種々の画像を表示する演出を行う。例えば、演出表示装置４１では、第１特図または第２特図の変動表示（図柄変動遊技）に合わせた各種の演出（以下「図柄変動演出」という）が行われる。すなわち、第１特図表示部または第２特図表示部にて特別図柄（第１特図または第２特図）の変動表示（図柄変動遊技）の開始タイミングと同期して、演出表示装置４１においても３つの識別図柄４１ａ，４１ｂ，４１ｃの変動表示を一斉に開始し、その後、特別図柄の規定変動時間が経過するまで種々の態様で変動表示を行う。そして、特別図柄の変動表示の終了タイミング（特別図柄の停止表示）と同期して３つの識別図柄４１ａ，４１ｂ，４１ｃの変動表示を終了する。本実施例のパチンコ機１では、識別図柄として「１」〜「９」までの９つの数字を意匠化した図柄を表示可能である。
【００６１】
図４（ａ）には、３つの識別図柄４１ａ，４１ｂ，４１ｃが一斉に変動表示している様子が概念的に示されている。変動表示が開始された後、所定時間が経過すると、初めに左識別図柄４１ａが「１」〜「９」のいずれかの図柄で停止表示され、次に、右識別図柄４１ｃが停止表示され、最後に中識別図柄４１ｂが停止表示される。これら演出表示装置４１で停止表示される３つの識別図柄４１ａ，４１ｂ，４１ｃの組合せは、前述した第１特図表示部または第２特図表示部で停止表示される特別図柄（第１特図または第２特図）と対応するように構成されている。例えば、第１特図または第２特図が大当り図柄で停止表示される場合は、演出表示装置４１の３つの識別図柄４１ａ，４１ｂ，４１ｃが同じ図柄となる図柄組合せ（以下「ゾロ目」ともいう）で停止表示される。また、第１特図または第２特図が「外れ図柄」で停止表示される場合は、３つの識別図柄４１ａ，４１ｂ，４１ｃは同じ図柄で揃わない図柄組合せ（以下「バラケ目」ともいう）で停止表示される。
【００６２】
尚、停止表示された識別図柄４１ａ、４１ｂ、４１ｃは、特別図柄の確定表示時間が経過するまで停止表示された状態となる（確定表示される）。また、識別図柄は、大当り判定の結果を遊技者に示唆（または報知）することが可能な態様で表示されればよいので、完全に停止表示される必要はなく、例えば、搖動するように表示させてもよいし、移動させずに識別図柄が示す情報（例えば「１」〜「７」の数字情報）を維持したまま変形させるようにしてもよい。
【００６３】
このように、第１特図表示部または第２特図表示部で表示される特別図柄と、演出表示装置４１で表示される３つの識別図柄４１ａ，４１ｂ，４１ｃとは、表示内容が互いに対応しており、変動表示中の特別図柄が停止表示する際には、３つの識別図柄４１ａ，４１ｂ，４１ｃも停止表示するようになっている。しかも、図２に示すように、演出表示装置４１は、第１特図表示部または第２特図表示部（セグメント表示部５０）よりも目に付き易い位置に設けられており、表示画面も大きく、表示内容も分かり易いので、遊技者は演出表示装置４１の画面を見ながら遊技を行うことが通常である。従って、図４（ｂ）に示すように、演出表示装置４１の表示画面上で初めに停止表示される左識別図柄４１ａと、続いて停止表示される右識別図柄４１ｃとが同じ図柄であった場合には、最後に停止表示される中識別図柄４１ｂも同じ図柄で停止して、「大当り状態に移行するのではないか」と、遊技者は識別図柄の変動表示（図柄変動演出）を注視することになる。このように、２つの識別図柄を同じ図柄（ゾロ目となり得る態様）で停止させて最後の識別図柄を変動表示させた状態で行われる演出は「リーチ演出」と呼ばれており、このリーチ演出を発生させることで遊技興趣を高めることが可能である。
【００６４】
また、演出表示装置４１の表示画面上の下部には、第１特図保留数を示すための第１保留表示領域４１ｄと、第２特図保留数を示すための第２保留表示領域４１ｅとが設定されている。本実施例のパチンコ機１では、第１保留表示領域４１ｄに第１特図保留数と同数の「保留図柄（図中、小さい円形の図柄）」を表示することで第１特図保留数を示し、第２保留表示領域４１ｅに第２特図保留数と同数の「保留図柄」を表示することで第２特図保留数を示す。従って、図４に示す例では、第１特図保留数および第２特図保留数が共に４個であることが示されている。尚、当然ながら、演出表示装置４１の表示画面上に表示された保留図柄によって示される保留数と、セグメント表示部５０の第１特図保留表示部および第２特図保留表示部にて示される保留数とは一致する。
【００６５】
Ａ−３．制御回路の構成  ：
図５は、本実施例のパチンコ機１における制御回路の構成を示したブロック図である。図示されているようにパチンコ機１の制御回路は、多くの制御基板や、各種基板、中継端子板などから構成されている。詳しくは、遊技の基本的な進行に係る制御を司る主制御基板２００と、遊技の演出に係る制御を司るサブ制御基板２２０と、サブ制御基板２２０の制御下で画像の表示や音声の出力に係る制御を司る画像音声制御基板２３０と、サブ制御基板２２０の制御下でランプの発光に係る制御を司るランプ制御基板２２６と、遊技球の貸し出しや払い出しに係る制御を司る払出制御基板２４０と、遊技球の発射に係る制御を司る発射制御基板２６０などから構成されている。これら制御基板は、各種論理演算および算出演算を実行するＣＰＵ（ＣＰＵ２０１、２２１、２３１等）や、ＣＰＵで実行される各種プログラムやデータが記憶されているＲＯＭ（ＲＯＭ２０２、２２２、２３２等）、プログラムの実行に際してＣＰＵが一時的なデータを記憶するＲＡＭ（２０３、２２３、２３３等）、入出力用回路など、種々の周辺ＬＳＩがバスで相互に接続されて構成されている。
【００６６】
主制御基板２００には、第１始動口２４へ入球した遊技球を検知する第１始動口センサー２４ｓや、第２始動口２５へ入球した遊技球を検知する第２始動口センサー２５ｓ、普通図柄作動ゲートを通過する遊技球を検知するゲートセンサー２７ｓ、大入賞口２８へ入球した遊技球を検知する大入賞口センサー２８ｓなどが接続されている。主制御基板２００のＣＰＵ２０１は、第１始動口センサー２４ｓや、第２始動口センサー２５ｓ、ゲートセンサー２７ｓ、大入賞口センサー２８ｓなどから遊技球の検知信号の入力があると、その検知信号の入力のあったセンサーに対応するコマンドを、サブ制御基板２２０や、払出制御基板２４０、発射制御基板２６０などに向けて出力する。
【００６７】
また、主制御基板２００には、第２始動口２５に設けられた開閉扉２６に開閉動作を行わせるための（第２始動口２５を開放状態、閉鎖状態にするための）始動口ソレノイド２６ｍや、大入賞口２８に設けられた開閉扉２９に開閉動作を行わせるための（大入賞口２８を開放状態、閉鎖状態にするための）大入賞口ソレノイド２９ｍ、セグメント表示部５０などが接続されている。主制御基板２００のＣＰＵ２０１は、始動口ソレノイド２６ｍ、大入賞口ソレノイド２９ｍ、セグメント表示部５０に向けて駆動信号を送信することにより、これらの動作の制御を行う。
【００６８】
サブ制御基板２２０には、画像音声制御基板２３０や、ランプ制御基板２２６などが接続されている。サブ制御基板２２０のＣＰＵ２２１は、主制御基板２００からの各種コマンドを受信すると、コマンドの内容を解析して、その内容に応じた遊技演出を行う。すなわち、画像音声制御基板２３０に対しては、出力画像や出力音声を指定するコマンドを送信し、ランプ制御基板２２６に対しては、上部ランプ５ａ、右サイドランプ５ｂ、左サイドランプ５ｃ（以下「各種ランプ５ａ〜５ｃ」ともいう）の発光パターンを指定するコマンドを送信することによって、遊技の演出を行う。
【００６９】
払出制御基板２４０には発射制御基板２６０が接続されており、発射制御基板２６０には、遊技球を発射させるための発射モーター２６２や遊技者が発射ハンドル９に触れていることを検知するタッチスイッチ２６３等を有する発射装置ユニット２６１が接続されている。発射制御基板２６０は、タッチスイッチ２６３を介して遊技者が発射ハンドル９に触れていることを検知すると、発射モーター２６２を駆動することによって、発射ハンドル９の回転角度に応じた強さで遊技球を発射する。
【００７０】
また、払出制御基板２４０には、前述したカードユニット６０や、遊技球を払い出す払出装置２４７などが接続されている。前述した球貸ボタン１０が操作され、カードユニット６０から払出要求信号を受信すると、払出装置２４７の払出モーター２４８を駆動して遊技球の貸し出しを行う。
【００７１】
さらに、払出制御基板２４０には主制御基板２００が接続されており、主制御基板２００のＣＰＵ２０１が、第１始動口センサー２４ｓや、第２始動口センサー２５ｓ、ゲートセンサー２７ｓ、大入賞口センサー２８ｓなどから遊技球の検知信号を受信すると、払出制御基板２４０に対して遊技球の払い出しを指示する払出コマンドが出力される。払出制御基板２４０は、この払出コマンドを受信すると、遊技球を払い出すための制御を行う。
【００７２】
また、払出制御基板２４０は、所定数（本実施例では１０）の遊技球を払い出すごとに、主制御基板２００に向けて払出信号を出力する。例えば、払出制御基板２４０は、払出検知センサー２４９からの検知信号を受信するごとに、ＲＡＭ２４３の端数カウンタの値に１を加算する。そして、端数カウンタの値が所定数（本実施例では１０）になると０にクリアするとともに、主制御基板２００に向けて払出信号を１パルス出力する。
【００７３】
図６には、カードユニット６０のブロック図、およびこのカードユニット６０とパチンコ機１との間でやり取りされる信号が示されている。図示するように、カードユニット６０には、ＣＲ制御基板６５が設けられており、このＣＲ制御基板６５には、ＣＰＵ６６や、ＲＯＭ６７、ＲＡＭ６８などが搭載されている。ＣＲ制御基板６５は、紙幣投入口６１から紙幣が投入されるとその紙幣の種類を判別する。そして、判別した種類の紙幣に応じた残高情報をＲＡＭ６８に記憶するとともに、その残高情報（例えば、残金や残度数など）をタッチパネル６２に表示させる。また、カードユニット６０には、パチンコ機１の度数表示器１３が接続されており、カードユニット６０から出力される信号によって、この度数表示器１３にも残度数が表示される。度数表示器１３に残度数を表示させる方法については、後ほど詳しく説明する。
【００７４】
前述した球貸ボタン１０が押下されると、貸出操作が行われたことを示す貸出操作信号がパチンコ機１からカードユニット６０に出力される。カードユニット６０は、貸出操作信号を受け取ると、貸出が可能な状態であるか否かを判断する。例えば、残度数が所定値（本実施例では５）以上であるか否かを判断する。その結果、貸出が可能な状態であると判断した場合には、パチンコ機１の払出制御基板２４０に向けて、遊技球の払い出しを要求する貸出要求信号を出力する。そして、貸出要求信号を受け取った払出制御基板２４０は、所定度数分（本実施例では、５度数分）の遊技球を払い出す。また、返却ボタン１１が押下されると、返却操作が行われたことを示す返却操作信号が、パチンコ機１からカードユニット６０に向けて出力され、この返却操作信号を受け取ったカードユニット６０は、挿入されていたプリペイドカードまたは会員カードを排出する。
【００７５】
図７には、度数表示器１３に残度数を表示させるための構成が示されている。図示するように、度数表示器１３は、所定数（本実施例では３つ）の７セグメント表示器１４，１５，１６によって構成されている。各７セグメント表示器１４，１５，１６は、７つのセグメント素子からなり、各セグメント素子を点灯状態と消灯状態とで切り替えることによって、英数字を表示させることが可能となっている。例えば、左の７セグメント表示器１４は、７つのセグメント素子１４ａ〜１４ｇからなり、残度数の百の位（残金の万の位）を表示することができる。また、真ん中の７セグメント表示器１５は、７つのセグメント素子１５ａ〜１５ｇからなり、残度数の十の位（残金の千の位）を表示することができる。また、右の７セグメント表示器１６は、７つのセグメント素子１６ａ〜１６ｇからなり、残度数の一の位（残金の百の位）を表示することができる。
【００７６】
本実施例では、上述した３つの７セグメント表示器１４，１５，１６をダイナミック点灯制御するために、カードユニット６０には、７セグメント表示器１４，１５，１６の数と同数（本実施例では３つ）のコモン信号用出力端子Ｃａ〜Ｃｃと、７つのセグメント信号用出力端子Ｄａ〜Ｄｇとが設けられている。そして、コモン信号用出力端子Ｃａは７セグメント表示器１４に接続されており、コモン信号用出力端子Ｃｂは７セグメント表示器１５に接続されており、コモン信号用出力端子Ｃｃは７セグメント表示器１６に接続されている。また、各セグメント信号用出力端子Ｄａ〜Ｄｇは、上述したセグメント素子１４ａ〜１４ｇ，１５ａ〜１５ｇ，１６ａ〜１６ｇに接続されている。例えば、セグメント信号用出力端子Ｄａは、セグメント素子１４ａ，１５ａ，１６ａに接続されており、セグメント信号用出力端子Ｄａからセグメント信号が出力されているか否か（セグメント信号用出力端子Ｄａから出力された信号がＨｉかＬｏｗか）によって、セグメント素子１４ａ，１５ａ，１６ａが点灯状態と消灯状態とで切り替えられる。本実施例では、セグメント信号が出力されている場合に（信号がＨｉである場合に）、セグメント素子が点灯状態となり、セグメント信号が出力されていない場合に（信号がＬｏｗである場合に）、セグメント素子が消灯状態となる。
【００７７】
また、７セグメント表示器１４，１５，１６のうち、コモン信号用出力端子Ｃａ〜Ｃｃから出力されるコモン信号を受信した７セグメント表示器が、セグメント信号によって点灯制御される。このため、カードユニット６０は、７セグメント表示器１４，１５，１６のうち、何れの７セグメント表示器を点灯させるかを制御することができ、さらに、点灯させる７セグメント表示器を連続的に切り替えることによって、７セグメント表示器１４，１５，１６に数字が同時に表示されているように見せることができる。なお、本実施例では、ダイナミック点灯制御を採用したが、７セグメント表示器１４，１５，１６ごとに７つのセグメント信号用出力端子を設け、各７セグメント表示器１４，１５，１６に対応したセグメント信号を出力させることで、個別に点灯させるようにしてもよい。
【００７８】
本実施例では、こうした度数情報を遊技などにも活用できるように、上述したセグメント信号およびコモン信号を分岐させて、主制御基板２００や、サブ制御基板２２０、画像音声制御基板２３０などの各種制御基板にも出力している。しかし、これらの各種制御基板２００，２２０，２３０が、残度数を認識するためには、セグメント信号およびコモン信号に基づいて残度数を特定する処理が必要となり、そのための処理負担が生じてしまう。そこで、本実施例では、上述したセグメント信号およびコモン信号を取得して残度数を特定する中継基板３１０（図６参照）を設け、中継基板３１０が特定した残度数を各種制御基板が受け取るようにしている。こうすることで、各種制御基板の処理負担の増加を軽減しつつ、残度数を認識させることが可能となっている。
【００７９】
尚、本実施例では、カードユニット６０から出力されたセグメント信号およびコモン信号を分岐ソケット３００で分岐させることで、度数表示器１３と中継基板３１０とがセグメント信号およびコモン信号を受信できるようにしたが、度数表示器１３と中継基板３１０とがセグメント信号およびコモン信号を受信することができる構成であれば、別の構成を採用することもできる。例えば、カードユニット６０からのセグメント信号およびコモン信号を中継基板３１０が受け取り、中継基板３１０が度数表示器１３に向けてセグメント信号およびコモン信号を出力するようにしてもよい。
【００８０】
図８には、上述した中継基板３１０によって実行される残度数特定処理のフローチャートが示されている。図示するように、残度数特定処理では、まずコモン信号を受信したか否かを判断する（Ｓ１０）。すなわち、コモン信号用出力端子Ｃａ〜Ｃｃのうち、何れかのコモン信号用出力端子から出力されたコモン信号がＨｉとなったか否かを判断する。その結果、何れのコモン信号を受信していない場合には（Ｓ１０：ｎｏ）、コモン信号を受信するまで待機状態となり、何れかのコモン信号を受信すると（Ｓ１０：ｙｅｓ）、受信したコモン信号およびセグメント信号に基づいて、残度数を特定する（Ｓ１１）。
【００８１】
なお、本実施例では、何れかのコモン信号用出力端子から出力されたコモン信号がＨｉとなったことをトリガーとして、残度数を特定するようにしたが、別の条件をトリガーとしてもよい。例えば、所定時間ごとに残度数を特定するようにしてもよいし、コモン信号またはセグメント信号の出力状態が切り替わったか否かを監視し、切り替わったことをトリガーとして残度数を特定するようにしてもよい。あるいは、入力中のコモン信号が別のコモン信号に切り替わったか否かを監視し、切り替わるごとに、入力中のコモン信号に対応するセグメント表示器で表示される数字を特定することで、残度数を特定するようにしてもよい。こうすれば、コモン信号が切り替わっていないにも関わらず、同じセグメント表示器で表示される数字を何度も特定するような無駄な処理による処理負担を軽減させることができる。
【００８２】
図９には、中継基板３１０が、上述したコモン信号およびセグメント信号に基づいて、残度数を特定する様子が示されている。図９（ａ）には、コモン信号用出力端子Ｃａからのコモン信号を受信した場合の様子が示されている。この図では、コモン信号用出力端子Ｃａ〜Ｃｃのうち、コモン信号用出力端子Ｃａからのコモン信号を受信する一方、他のコモン信号用出力端子Ｃｂ，Ｃｃからはコモン信号を受信していないので、残度数の百の位に対応したセグメント信号が出力されていると判定する。そして、セグメント信号用出力端子Ｄａ〜Ｄｇのうち、何れのセグメント信号用出力端子からのセグメント信号も受信していないので、残度数の百の位は「なし」、すなわち「０」であると判定する。
【００８３】
図９（ｂ）には、コモン信号用出力端子Ｃｂからのコモン信号を受信した場合の様子が示されている。この図では、コモン信号用出力端子Ｃａ〜Ｃｃのうち、コモン信号用出力端子Ｃｂからのコモン信号を受信する一方、他のコモン信号用出力端子Ｃａ，Ｃｃからはコモン信号を受信していないので、残度数の十の位に対応したセグメント信号が出力されていると判定する。そして、セグメント信号用出力端子Ｄａ〜Ｄｇから出力されたセグメント信号の全てを受信しているので、残度数の十の位は「８」であると判定する。
【００８４】
図９（ｃ）には、コモン信号用出力端子Ｃｃからのコモン信号を受信した場合の様子が示されている。この図では、コモン信号用出力端子Ｃａ〜Ｃｃのうち、コモン信号用出力端子Ｃｃからのコモン信号を受信する一方、他のコモン信号用出力端子Ｃａ，Ｃｂからはコモン信号を受信していないので、残度数の一の位に対応したセグメント信号が出力されていると判定する。そして、セグメント信号用出力端子Ｄａ〜Ｄｇから出力されたセグメント信号のうち、セグメント信号用出力端子Ｄａ〜Ｄｆから出力されたセグメント信号を受信しているので、残度数の一の位は「０」であると判定する。以上のようにして、残度数が「０８０」であると特定することができる。
【００８５】
なお、本実施例では、コモン信号に基づいて「位」を先に特定してから、セグメント信号に基づいて、その位に対応して７セグメント表示器１４，１５，１６に表示される「数字」を特定するようにしたが、これとは逆に、セグメント信号に基づいて７セグメント表示器１４，１５，１６に表示される「数字」を特定してから、コモン信号に基づいて、その数字が対応する「位」を特定するようにしてもよい。
【００８６】
このようにして残度数を特定すると、中継基板３１０に残度数が既に記憶されているか否かを判定する（図８のＳ１２）。初期状態では残度数は記憶されておらず、残度数が記憶されていない場合には（Ｓ１２：ｎｏ）、特定した残度数を記憶する（Ｓ１３）。そして、記憶した残度数を、主制御基板２００や、サブ制御基板２２０、画像音声制御基板２３０などの各種制御基板に出力して（Ｓ１４）、Ｓ１０に戻る。
【００８７】
以上では、中継基板３１０に残度数が記憶されていない状態で残度数を特定した場合について説明したが、残度数を特定したときに、残度数が既に記憶されていた場合には（Ｓ１２：ｙｅｓ）、特定した残度数が既に記憶されている残度数と比較して変わったか否かを判定する（Ｓ１５）。その結果、残度数が変わっていない場合には（Ｓ１５：ｎｏ）、Ｓ１０に戻る。その一方、残度数が変わった場合には（Ｓ１５：ｙｅｓ）、記憶されている残度数を、新たに特定した残度数に更新する（Ｓ１６）。そして、更新後の残度数を各種制御基板２００，２２０，２３０に出力してから（Ｓ１７）、Ｓ１０に戻る。このように、残度数は、更新されたときに出力されるので、この残度数を受け取る各種制御基板２００，２２０，２３０は、残度数が更新されたか否かを判定する必要がなくなる。このため、各種制御基板２００，２２０，２３０は、残度数が更新されたか否かを判定する処理負担を軽減させつつ、最新の残度数を認識することが可能となっている。なお、本実施例では、中継基板３１０が残度数をそのまま出力するようにしたが、残度数を特定可能な残高情報であれば、残金など別の情報を出力するようにしてもよい。
【００８８】
Ｂ．遊技制御処理  ：
主制御基板２００は、上述した残度数を活用すべく、以下のような遊技制御を行う。図１０は、主制御基板２００のＣＰＵ２０１が、遊技の進行に係る制御として行う遊技制御処理の大まかな流れを示したフローチャートである。遊技制御処理は、主制御基板２００のＣＰＵ２０１によって、所定周期毎（例えば４ｍｓｅｃ毎）に発生するタイマ割り込みに基づき行われる。以下、フローチャートに従って、主制御基板２００のＣＰＵ２０１が行う遊技制御処理について説明する。尚、以下の説明では、ＣＰＵ２０１の初期化処理や、割り込み禁止処理、割り込み許可処理などの周知の処理については、その説明を省略している。
【００８９】
＜出力処理＞
図１０に示すように、主制御基板２００のＣＰＵ２０１は遊技制御処理を開始すると先ず、出力処理（Ｓ１００）を行う。本実施例のパチンコ機１では、各種処理において、サブ制御基板２２０や払出制御基板２４０などの各種制御基板に向けて送信する各種コマンドをＲＡＭ２０３に確保された出力バッファに記憶する。出力処理（Ｓ１００）では、このように出力バッファに記憶された各種コマンドを各種制御基板に向けて出力する。こうすることにより、例えば、サブ制御基板２２０では、遊技の進行に合わせた演出の制御が行われることになり、払出制御基板２４０では、払出モーター２４８を駆動して遊技球の払い出しが行われることとなる。
【００９０】
＜残高情報取得処理＞
主制御基板２００のＣＰＵ２０１は、続いて、残高情報取得処理（Ｓ２００）を行う。図１１には、残高情報取得処理（Ｓ２００）のフローチャートが示されている。図示するように、残高情報取得処理（Ｓ２００）では、まず中継基板３１０（またはカードユニット６０）から残高情報（本実施例では、残度数）を受信したか否かを判定する（Ｓ２０１）。そして、残高情報を受信した場合には（Ｓ２０１：ｙｅｓ）、カード挿入状態フラグが０であるか否かを判定する（Ｓ２０３）。ここでカード挿入状態フラグとは、カードユニット６０に記憶媒体としてのカード（本実施例ではプリペイドカードまたは会員カード）が挿入された状態であるか否かを示すフラグであり、カードが挿入されていない状態では「０」が設定され、カードが挿入されている状態では「１」が設定される。初期状態では、「０」が設定されている。
【００９１】
なお、本実施例のカードユニット６０は、残高のない（空の）プリペイドカードが所定数（例えば４枚）を上限として従業員等によって予め挿入可能とされており、挿入された空のプリペイドカードはカードユニット６０内にストックされる。空のプリペイドカードがストックされた状態で紙幣が投入されると、紙幣が受け付けられる。そして、度数が残った状態でカードの返却操作が行われると、ストックされている空のプリペイドカードに残度数が記憶されて排出される。このため、本実施例のカードユニット６０は、カードの挿入状態として、「会員カードが挿入されている状態」と、「残度数のあるプリペイドカードが挿入されている状態」と、「空のプリペイドカードだけが挿入されている状態」と、「カード切れの状態」との４つの状態が存在するが、ここでいう「カードが挿入されていない状態」とは、「カード切れの状態」だけでなく、「空のプリペイドカードだけが挿入されている状態」も含まれる。
【００９２】
カード挿入状態フラグが「０」である場合には（Ｓ２０２：ｙｅｓ）、受信した残高情報をＲＡＭ２０３に記憶する（Ｓ２０３）。そして、カード挿入状態フラグを「１」に設定して（Ｓ２０４）、本残高情報取得処理（Ｓ２００）を終了する。これに対し、残高情報を受信したときにカード挿入状態フラグが「１」であった場合には（Ｓ２０２：ｎｏ）、ＲＡＭ２０３に記憶されている残高情報を、新たに受信した残高情報に更新する（Ｓ２０５）。そして、更新後の残高情報に残高があるか否か、すなわち、残度数が「０」であるか否かを判定する（Ｓ２０６）。その結果、残高がある場合には（Ｓ２０６：ｙｅｓ）、そのまま、本残高情報取得処理（Ｓ２００）を終了し、残高が無い場合には（Ｓ２０６：ｎｏ）、カード挿入状態フラグを「０」に設定してから（Ｓ２０７）、本残高情報取得処理（Ｓ２００）を終了する。なお、残高情報を受信していない場合には（Ｓ２０１：ｎｏ）、そのまま、本残高情報取得処理（Ｓ２００）を終了する。
【００９３】
＜乱数更新処理＞
主制御基板２００のＣＰＵ２０１は、残高情報取得処理（Ｓ２００）が終了すると、乱数更新処理（図１０のＳ３００）を行う。本実施例のパチンコ機１では上述したように、大当り判定や普図当り判定は所定の判定乱数に基づいて行われる。詳しくは、大当り判定は「大当り判定乱数」に基づいて行われ、普図当り判定は「普図当り判定乱数」に基づいて行われる。また、本実施例のパチンコ機１では、複数種類の大当り状態が実行可能となっており、大当り判定の結果が大当りであった場合には、「大当り種別乱数」に基づいて大当り状態の種類が決定される。本実施例のパチンコ機１における特別図柄の変動表示は変動パターンに基づいて行われるが、この変動パターンは「変動パターン選択乱数」に基づいて選択される。また、本実施例のパチンコ機１では、大当り判定の結果が外れであった場合、演出表示装置４１で実行される図柄変動演出でリーチ状態とするか否かを「リーチ乱数」に基づいて決定する。乱数更新処理（Ｓ３００）では、これらの乱数を更新する。尚、これらの乱数の更新は、乱数更新処理（Ｓ３００）においてだけでなく、遊技制御処理を終了してから次の遊技制御処理を開始する（次のタイマ割り込み）までの期間にも行うこととしてもよい。また、乱数更新の専用回路を設けて、この専用回路で乱数を更新することとしてもよい。
【００９４】
＜始動口等センサー検出処理＞
主制御基板２００のＣＰＵ２０１は、続いて、始動口等センサー検出処理（Ｓ４００）を行う。始動口等センサー検出処理（Ｓ４００）では、第１始動口センサー２４ｓや、第２始動口センサー２５ｓ、大入賞口センサー２８ｓ等からの検知信号に基づいて、始動口２４、第２始動口２５への遊技球が入球したか否かを判定する。そして、遊技球が入球したと判定した場合には、入球に応じて払い出す遊技球の数を含む払出コマンドをＲＡＭ２０３の出力バッファに記憶する。払出コマンドが出力バッファに記憶されると、次回の出力処理（Ｓ１００）で払出制御基板２４０に出力される。払出コマンドを受信した払出制御基板２４０では、遊技球の払い出しが行われる。
【００９５】
また、始動口等センサー検出処理（Ｓ４００）では、ゲートセンサー２７ｓからの検知信号に基づいて、遊技球が普通図柄作動ゲート２７を通過したか否かを判定する。その結果、遊技球が普通図柄作動ゲート２７を通過したと判定した場合には、普図保留数が上限値である４個に達しているか否かを判定する。そして、普図保留数が４個に達していなければ、普図当り判定乱数を取得すると共に該普図当り判定乱数を普図保留として記憶する。普図保留は、記憶した順序を識別できるように、ＲＡＭ２０３に確保された普図保留記憶領域に記憶される。尚、遊技球が普通図柄作動ゲート２７を通過していなかった場合や、普図保留数が既に４個に達していた場合は、新たな普図保留は記憶しない。
【００９６】
さらに、始動口等センサー検出処理（Ｓ４００）では、第１始動口センサー２４ｓからの検知信号に基づいて、遊技球が第１始動口２４に入球したか否かを判定する。その結果、遊技球が第１始動口２４に入球したと判定した場合は、第１特図保留数が上限値である４個に達しているか否かを判定する。そして、第１特図保留数が４個に達していなければ、大当り判定乱数、大当り種別乱数、変動パターン選択乱数、リーチ乱数を取得すると共にこれらの乱数を第１特図保留として記憶する。第１特図保留は、記憶した順序を識別できるように、ＲＡＭ２０３に確保された第１特図保留記憶領域に記憶される。
【００９７】
ここで、第１特図の変動表示（図柄変動遊技）は、第１特図保留として取得された乱数のうち大当り判定乱数、大当り種別乱数、および変動パターン選択乱数に基づいて行われる。また、第１特図の変動表示に合わせて行われる演出（図柄変動演出）は、第１特図保留として取得された大当り判定乱数、大当り種別乱数、変動パターン選択乱数、およびリーチ乱数に基づいて行われる。従って、第１特図保留を記憶した場合は、未だ該第１特図保留に基づく変動表示が開始されていなくても（変動開始条件が成立していなくても）、該第１特図保留に基づく変動表示や演出（第１特図保留に基づく図柄変動遊技や図柄変動演出）の態様を判定することが可能である。例えば、第１特図保留に基づく変動表示が行われる前であっても、該第１特図保留に基づく変動表示が行われた場合に大当り図柄が停止表示されるか否かや、リーチ状態で実行されるリーチ演出が行われるか否か等を判定することが可能である。このような判定は事前判定と称されるものであって、本実施例のパチンコ機１では、第１特図保留を記憶すると、該第１特図保留について事前判定を行い、該事前判定結果を該第１特図保留と対応付けて記憶する。こうして、第１特図保留を記憶すると共に該第１特図保留についての事前判定結果を記憶したら、この事前判定結果を示す事前判定結果コマンドをＲＡＭ２０３の出力バッファに記憶する。こうして出力バッファに記憶された事前判定結果コマンドは次回の出力処理（Ｓ１００）でサブ制御基板２２０に向けて送信される。こうすることによって、サブ制御基板２２０は、第１特図保留の事前判定結果に基づいて種々の演出を実行することが可能となる。尚、遊技球が第１始動口２４に入球していなかった場合や、第１特図保留数が既に４個に達していた場合は、新たな第１特図保留は記憶せず、事前判定も行わない。
【００９８】
こうして第１特図保留の記憶に係る処理を行ったら、続いて、第２始動口センサー２５ｓからの検知信号に基づいて、遊技球が第２始動口２５に入球したか否かを判定する。その結果、遊技球が第２始動口２５に入球した場合は、第２特図保留数が上限値である４個に達しているか否かを判定する。そして、第２特図保留数が４個に達していなければ、大当り判定乱数、大当り種別乱数、変動パターン選択乱数、およびリーチ乱数を取得すると共にこれらの乱数を第２特図保留として記憶する。第２特図保留は、記憶した順序を識別できるように、ＲＡＭ２０３に確保された第２特図保留記憶領域に記憶される。こうして第２特図保留を記憶したら、該第２特図保留についても上述と同様の事前判定を行い、該事前判定結果を該第２特図保留と対応付けて記憶する。こうして、第２特図保留を記憶すると共に該第２特図保留についての事前判定結果を記憶したら、この事前判定結果を示す事前判定結果コマンドをＲＡＭ２０３の出力バッファに記憶する。こうして出力バッファに記憶された事前判定結果コマンドも次回の出力処理（Ｓ１００）でサブ制御基板２２０に向けて送信される。こうすることによって、サブ制御基板２２０は、第２特図保留の事前判定結果に基づいて種々の演出を実行することが可能となる。尚、遊技球が第２始動口２５に入球していなかった場合や、第２特図保留数が既に４個に達していた場合は、新たな第２特図保留は記憶せず、事前判定も行わない。
【００９９】
＜普通動作処理＞
主制御基板２００のＣＰＵ２０１は、続いて、普通動作処理（Ｓ５００）を行う。この普通動作処理（Ｓ１３０）では、普通図柄を変動表示させたり、普図当り状態へ移行させたりする処理が行われる。本実施例の普通動作処理（Ｓ５００）では、普通動作ステータスが１〜４の４段階で設定されており、設定された普通動作ステータスによって実行される処理が選択される。例えば、普通動作ステータスが１の状態では、普通図柄の変動開始条件が成立したか否かを判定し、成立したと判定した場合に変動表示を開始する普図変動待機処理が選択され、普通動作ステータスが２の状態では、変動表示中の普通図柄を停止表示させる普図変動中処理が選択され、普通動作ステータスが３の状態では、普通図柄の確定表示を行い、普図当り図柄が確定表示された場合には普図当り状態へ移行させる普通図柄確定処理が選択され、普通動作ステータスが４の状態では、普図当り状態への移行に伴い開閉扉２６を開閉させる普図電動役物処理が選択される。選択された何れかの処理が実行された後は、普通動作処理（Ｓ５００）を終了する。すなわち、普通動作ステータスが切り替わるまで、普通動作処理（Ｓ５００）が実行される度に同じ処理が繰り返されることとなる。
【０１００】
普通動作ステータスは初期値として１が設定されている。このため、最初は普図変動待機処理が実行される。普図変動待機処理では、先ず上述の普図保留記憶領域に普図保留が記憶されているか否かを判定する。普図保留が記憶されていない場合には、普図変動待機処理を終了する。すなわち、普図保留が記憶されるまで待機状態となる。一方、普図保留が記憶されている場合には、記憶されている普図保留のうち最先に記憶された普図保留を読み出す。そして、読み出した普図保留（普図当り判定乱数）に基づいて普図当り判定を行う。普図当り判定の結果、普図当りであった場合には、今回の普通図柄の変動表示にて停止表示する図柄（停止図柄）として普図当り図柄を記憶する。これに対して、普図当り判定の結果が普図外れである場合は、今回の普通図柄の変動表示にて停止表示する図柄（停止図柄）として普図外れ図柄を記憶する。こうして今回の普通図柄の変動表示の結果を記憶したら、普通図柄の変動時間を設定して、普通図柄の変動表示を開始する。そして、今回の普図当り判定の対象となった普図保留を普図保留記憶領域から消去する。その後、次回の普通動作処理（Ｓ５００）で普図変動中処理が実行されるように、普通動作ステータスを２に設定し、普図変動待機処理を終了する。
【０１０１】
普通動作ステータスが２に設定されると、上述した普図変動中処理が実行される。この普図変動中処理では、変動表示中の普通図柄の変動時間が経過したか否かを判定する。その結果、変動時間が経過していない場合には、そのまま普図変動中処理を終了する。すなわち、変動時間が経過するまで、この普図変動中処理を繰り返すこととなる。そして、変動時間が経過すると、変動表示中の普通図柄を予め記憶しておいた態様で停止表示する。すなわち、普図当り判定の結果が普図当りであった場合は普図表示部の左のＬＥＤを点灯した状態とし（普図当り図柄を停止表示し）、普図当り判定の結果が外れであった場合は普図表示部の右のＬＥＤを点灯した状態とする（外れ図柄を停止表示する）。このように普通図柄が停止表示した後、普通図柄の確定表示時間を設定して、普通図柄の確定表示を開始する。そして、次回の普通動作処理（Ｓ５００）で普通図柄確定処理が実行されるように普通動作ステータスを３に設定し、普図変動中処理を終了する。
【０１０２】
普通動作ステータスが３に設定されると、上述した普通図柄確定処理が実行される。この普通図柄確定処理では、上述の普図変動中処理で設定された確定表示時間が経過したか否かを判定する。その結果、確定表示時間が経過していない場合には、そのまま普通図柄確定処理を終了する。すなわち、確定表示時間が経過するまで、この普通図柄確定処理を繰り返すこととなる。そして、確定表示時間が経過すると、今回停止表示（確定表示）された普通図柄が普図当り図柄（普図表示部の左のＬＥＤの点灯）であるか否かを判定する。その結果、停止表示された普通図柄が外れ図柄であった場合には、次回の普通動作処理（Ｓ５００）で普図変動待機処理が実行されるように、普図動作ステータスを１に戻す。これに対して、停止表示された普通図柄が普図当り図柄であった場合には、普図当り状態における第２始動口２５の開放パターン（開放回数、開放時間、閉鎖時間など）を設定した後、普図当り状態に移行させる。その後、次回の普通動作処理（Ｓ５００）で普通電動役物処理が実行されるように特別動作ステータスを４に設定し、普通図柄確定処理を終了する。
【０１０３】
普通動作ステータスが４に設定されると、上述した普通電動役物処理が実行される。この普通電動役物処理では、上述の開放パターンで第２始動口２５が開放状態・閉鎖状態となるように、始動口ソレノイド２６ｍを制御して開閉扉２６を動作させる。そして、この開放パターンに従う制御が終了したら普図当り状態を終了する。その後、次回の普通動作処理（Ｓ５００）で普通電動役物処理が実行されるように特別動作ステータスを４に設定し、普通図柄確定処理を終了する。
【０１０４】
また、本実施例のパチンコ機１では、上述したように、電サポ状態および非電サポ状態のうち何れか一方が選択的に設定される。この電サポ状態および非電サポ状態は以下のようにして実現される。
【０１０５】
すなわち、電サポ状態は非電サポ状態と比較して、普図当り判定の結果が普図当りとなる確率（普図当り確率）が高く、普通図柄の変動時間（普図変動時間）が短く、普図当り状態における第２始動口２５の開放時間が長く設定される。従って、電サポ状態は非電サポ状態と比較して、第２始動口２５が高頻度で開放状態になるとともに該開放状態にある期間が長くなるので、第２始動口２５への遊技球の入球頻度が高くなる（高頻度状態）。例えば、非電サポ状態が設定されている場合は、普図当り確率を１００分の１の確率に設定し（普図保留として取得可能な普図当り判定乱数のうち１００分の１の乱数を普図当りとし）、普図変動時間を２０秒に設定し、普図当り状態における第２始動口２５の開放時間を０．３秒（０．１秒×３回開放）に設定する。これに対して、電サポ状態が設定されている場合は、普図当り確率を１００分の９９の確率に設定し（普図保留として取得可能な普図当り判定乱数のうち１００分の９９の乱数を普図当りとし）、普図変動時間を１秒に設定し、普図当り状態における第２始動口２５の開放時間を４．５秒（１．５秒×３回開放）に設定する。
【０１０６】
＜特別動作処理＞
主制御基板２００のＣＰＵ２０１は、続いて、特別動作処理（Ｓ６００）を実行する。特別動作処理（Ｓ６００）では、特別図柄（第１特図または第２特図）を変動表示させたり、大当り状態に移行させたりする処理が行われる。図１２には、特別動作処理のフローチャートが示されている。本実施例の特別動作処理（Ｓ６００）では、特別動作ステータスが１〜４の４段階で設定されており、設定された特別動作ステータスによって実行される処理が選択される。図１２に示す例では、まず特別動作ステータスが「１」〜「４」のうちの何れであるかを判定し（Ｓ６０１）、特別動作ステータスが「１」である場合には（Ｓ６０１：１）、特別図柄の変動開始条件が成立したか否かを判定し、成立したと判定した場合に特別図柄の変動表示を開始する特図変動待機処理が選択され（Ｓ７００）、特別動作ステータスが「２」である場合には（Ｓ６０１：２）、変動表示中の特別図柄を停止表示させる特図変動中処理が選択され（Ｓ８００）、特別動作ステータスが「３」である場合には（Ｓ６０１：３）、特別図柄の確定表示を行う特別図柄確定処理が選択され（Ｓ９００）、特別動作ステータスが「４」である場合には（Ｓ６０１：４）、特図当り遊技の実行に伴い開閉扉２９を開閉させる特図電動役物処理が選択される（Ｓ１０００）。選択された何れかの処理が実行された後は、特別動作処理（Ｓ６００）を終了する。すなわち、特別動作ステータスが切り替わるまで、特別動作処理（Ｓ６００）が実行される度に、Ｓ７００，Ｓ８００，Ｓ９００，Ｓ１０００のうち同じ処理が繰り返されることとなる。
【０１０７】
＜特別図柄待機処理＞
特別動作ステータスの初期値は「１」となっており、この場合には、上述した特別図柄待機処理（Ｓ７００）が行われる。図１３には、特別図柄待機処理（Ｓ７００）のフローチャートが示されている。上述したように、本実施例のパチンコ機１では、第１特図保留よりも第２特図保留が優先的に消化される。このため、特別図柄待機処理（Ｓ７００）では、先ず第２特図保留があるか否かを判定する（Ｓ７０１）。第２特図保留がある場合には（Ｓ７０１：ｙｅｓ）、第２特図大当り判定処理が行われる（Ｓ７０２）。第２特図大当り判定処理では、最先に記憶された第２特図保留の大当り判定乱数（大当り判定乱数、大当り種別乱数、変動パターン選択乱数、リーチ乱数）を読み出す。そして、読み出した第２特図保留に含まれる大当り判定乱数に基づいて大当り判定を行う。
【０１０８】
第２特図保留がない場合には（Ｓ７０１：ｎｏ）、第１特図保留があるか否かを判定する（Ｓ７０３）。第１特図保留がある場合には（Ｓ７０３：ｙｅｓ）、第１特図大当り判定処理が行われる（Ｓ７０４）。第１特図大当り判定処理では、最先に記憶された第１特図保留の大当り判定乱数（大当り判定乱数、大当り種別乱数、変動パターン選択乱数、リーチ乱数）を読み出す。そして、読み出した第１特図保留に含まれる大当り判定乱数に基づいて大当り判定を行う。尚、第１特図保留もない場合には（Ｓ７０３：ｎｏ）、本特別図柄待機処理（Ｓ７００）を終了する。
【０１０９】
ここで、本実施例のパチンコ機１では、前述したように、大当り判定において大当りと判定される確率に係る遊技状態は「大当り判定において大当りと判定される確率が低い（２９９分の１の確率である）低確率状態」または「大当り判定において大当りと判定される確率が高い（５０分の１の確率である）高確率状態」に設定される。このような低確率状態あるいは高確率状態の設定は次のように実現される。すなわち、低確率状態が設定されている場合は、第１特図保留または第２特図保留として取得可能な大当り判定乱数のうち２９９分の１の乱数を大当りとし、高確率状態が設定されている場合は、第１特図保留または第２特図保留として取得可能な大当り判定乱数のうち５０分の１の乱数を大当りとする。
【０１１０】
第２特図大当り判定処理または第１特図大当り判定処理が終了すると、大当り判定の結果に基づいて、今回の特別図柄の変動表示（図柄変動遊技）にて停止表示する図柄の種類が選択される（Ｓ７０５）。大当り判定の結果が大当りであった場合には、大当りに対応した大当り図柄が停止表示され、大当り判定の結果が外れであった場合には、外れに対応した外れ図柄が停止表示される。特に、大当り判定の結果が大当りであった場合には、大当りの種類に対応した大当り図柄が停止表示される。また、これらの大当り図柄や外れ図柄は複数種類用意されており、大当りの種別に対応した大当り図柄についても複数種類用意されている。このため、停止表示された特別図柄を確認しても、何れの結果に対応した図柄であるかを識別することが困難になっており、その結果、演出表示装置４１で実行される図柄変動演出に一層注目が集まる。尚、主制御基板２００のＲＯＭ２０２には、大当り判定の結果、および大当り種別に対応した図柄選択テーブルが予め記憶されており、この図柄選択テーブルに従って停止表示される特別図柄が選択される。そして、停止表示する図柄として選択された大当り図柄、および外れ図柄は、ＲＡＭ２０３に確保された停止図柄記憶領域に記憶される。
【０１１１】
停止表示する図柄が選択されると、続いて特別図柄の変動表示（図柄変動遊技）の変動パターンが選択される（Ｓ７０６）。変動パターンとは、前述したように、特別図柄（第１特図または第２特図）が変動表示を開始してから停止表示するまでの時間（規定変動時間）であり、各変動パターンには他の変動パターンと識別するための情報（変動パターンＩＤ）が付されている。変動パターンを選択する処理では、図１４（ａ）に示すような変動パターン選択テーブルを参照する。変動パターン選択テーブルとは、複数の変動パターン（変動パターンＩＤ、規定変動時間）に変動パターン選択乱数が割り振られたテーブルである。変動パターンを選択する処理では、このような変動パターン選択テーブルにおいて、今回第１特図保留または第２特図保留として読み出した変動パターン選択乱数に対応する変動パターンを、今回の変動パターンとして決定する。従って、各変動パターンが選択される確率は、取得可能な変動パターン選択乱数のうち各変動パターンに割り振られた乱数の割合によって決定される。
【０１１２】
また、参照する変動パターン選択テーブルは、大当り判定の結果のみによって決定されるのではなく、特別図柄の種類（第１特図または第２特図）や、現在設定されている遊技状態、大当り状態の種類、記憶されている第１特図保留および第２特図保留の数などの種々の遊技進行状況に対応する変動パターン選択テーブルが選択される。こうすることで、種々の遊技進行状況に対応する変動パターンを選択可能となる。
【０１１３】
また、本実施例のパチンコ機１では、残高情報に対応して複数種類の変動パターン選択テーブルが用意されており、ＲＡＭ２０３に記憶された残高情報に対応した変動パターン選択テーブルが選択される。このため、残高情報に基づいて規定変動時間が変化するという従来にない遊技性が実現され、その結果、遊技の興趣を向上させることが可能となっている。例えば、図１４（ｂ）では、規定変動時間が相対的に短い第１残高用テーブルと、規定変動時間が相対的に長い第２残高用テーブルとが用意されており、残高が所定値以上（ここでは、２０００円以上（２０度数以上））である場合には、第１残高用テーブルが選択され、残高が所定値未満（ここでは、２０００円未満（２０度数未満））である場合には第２残高用テーブルが選択される。このため、例えば遊技者が一万円札を投入して遊技を開始した場合、初めは１回の図柄変動遊技の時間が短めとなっているが、残高が２０００円を切ると、１回の図柄変動遊技の時間が長くなる。本実施例のパチンコ機１では、大当り判定の結果が大当りであった場合の方が、外れであった場合よりも１回の図柄変動遊技の時間が短いので、図柄変動遊技の時間が長い場合には、遊技者に対し大当り状態へ移行することへの期待を煽ることができるようになっている。そして、上述したように残高が２０００円を切ると、１回の図柄変動遊技の時間が長くなるので、残高が少なくなった状態で、遊技者に対し大当り状態へ移行することへの期待を煽ることができる。こうすることで、残高がなくなったところで遊技を止めようと考える遊技者に対し、大当りが近いのではないかと期待させ、残高がなくなった後も追加で紙幣を投入させて、遊技を継続させることが可能となる。
【０１１４】
なお、図１４（ｂ）に示す例では、残高に基づいて規定変動時間が１段階しか変化しないようになっているが、複数段階変化するようにしてもよい。例えば、残高が２０００円以上の状態では、第１残高用テーブルを設定し、残高が２０００円を切ると第２残高用テーブルに切り換え、さらに、残高が１０００円を切ると、第２残高用テーブルよりも規定変動時間が長い第３残高用テーブルを設定するようにしてもよい。
【０１１５】
また、本実施例のパチンコ機１では、図柄変動遊技の時間が長い場合の方が短い場合よりも大当り状態へ移行しやすいが、こうした条件は必須ではない。遊技者は一般的に、図柄変動遊技の時間が長いほど大当りとなる可能性が高いと認識しているので、図柄変動遊技の時間を長くすれば、大当り状態へ移行することへの期待を煽ることができる。
【０１１６】
変動パターンを選択したら、特図保留数を１減算して（図１３のＳ７０７）、特別図柄の変動表示を開始する（Ｓ７０８）。そして、今回選択された変動パターン、大当り判定の結果、大当り状態の種類およびリーチの有無を示す変動パターン指定コマンドをＲＡＭ２０３の出力バッファに記憶する。このように出力バッファに記憶された変動パターン指定コマンドは、次回の出力処理（Ｓ１００）でサブ制御基板２２０に向けて出力される。上述したように、変動パターンは、種々の遊技進行状況に対応する変動パターンが選択されるため、変動パターン指定コマンドを受信したサブ制御基板２２０は、種々の遊技進行状況に対応する演出パターンで図柄変動演出を実行することができる。また、今回の大当り判定の対象となった第１特図保留または第２特図保留を、第１特図保留記憶領域または第２特図保留記憶領域から消去する。そして、次回の特別動作処理（Ｓ６００）で特図変動中処理（Ｓ８００）が行われるように、特別動作ステータスを「２」に更新してから（Ｓ７０９）、本特別図柄待機処理（Ｓ７００）を終了する。
【０１１７】
＜特図変動中処理＞
特別図柄の変動表示が開始され、特別動作ステータスが「２」に更新されると、上述した特図変動中処理（Ｓ８００）が行われる。図１５に示すように、特図変動中処理（Ｓ８００）では、変動表示が開始されてから、上記特別図柄待機処理（Ｓ７００）で選択された規定変動時間が経過したか否かを判定する（Ｓ８０１）。これにより、変動終了タイミングとなったか否かを判定する。変動終了タイミングとなっていない場合には（Ｓ８０１：ｎｏ）、特別図柄の変動表示を継続させるため、そのまま特図変動中処理（Ｓ８００）を終了する。一方、変動終了タイミングとなった場合には（Ｓ８０１：ｙｅｓ）、上記特別図柄待機処理（Ｓ７００）で選択された図柄が停止表示される（Ｓ８０２）。例えば、大当り判定の結果が大当りであった場合には上記特別図柄待機処理（Ｓ７００）で選択された大当り図柄を停止表示し、大当り判定の結果が外れであった場合には上記特別図柄待機処理で選択された外れ図柄を停止表示する。そして、図柄の確定表示を開始するとともに（Ｓ８０３）、特別図柄を確定表示させる確定表示時間を設定する。その後、次回の特別動作処理（Ｓ６００）で特別図柄確定処理（Ｓ９００）が行われるように、特別動作ステータスを「３」に更新してから（Ｓ８０４）、特図変動中処理（Ｓ８００）を終了する。
【０１１８】
＜特別図柄確定処理＞
特別動作ステータスが「３」に更新されると、上述したように特別図柄の確定表示を行う特別図柄確定処理（Ｓ９００）が行われる。図１６に示すように、特別図柄確定処理（Ｓ９００）では、特図変動中処理（Ｓ８００）で設定された確定表示時間が経過したか否かを判定する（Ｓ９０１）。その結果、確定表示時間が経過していない場合には（Ｓ９０１：ｎｏ）、確定表示を継続させるためにそのまま本特別図柄確定処理（Ｓ９００）を終了する。
【０１１９】
確定表示時間が経過すると（Ｓ９０１：ｙｅｓ）、停止表示（確定表示）された図柄が大当り図柄であるか否かを判定し（Ｓ９０２）、停止表示（確定表示）された図柄が外れ図柄である場合には（Ｓ９０２：ｎｏ）、先ず電サポ状態であるか否かを判定する（Ｓ９１１）。判定の結果、電サポ状態である場合には（Ｓ９１１：ｙｅｓ）、電サポ状態の終了条件が成立したか否かを判定する（Ｓ９１２）。すなわち、図柄変動遊技が実行される毎に電サポ状態の残り実行回数を示す電サポ回数カウンタの値から「１」を減算し、電サポ回数カウンタの値が「０」となった場合に電サポ状態の終了条件が成立したと判定する。電サポ状態の終了条件が成立した場合には、電サポ状態を終了して、通常遊技状態（低確率状態かつ非電サポ状態）を設定する（Ｓ９１３）。そして、遊技状態が通常遊技状態であることを示す遊技状態指定コマンドの出力設定をすべく、遊技状態指定コマンドをＲＡＭ２０３の出力バッファに記憶させる（Ｓ９１４）。こうして出力バッファに記憶された遊技状態指定コマンドは、次回の出力処理（Ｓ１００）で、サブ制御基板２２０に向けて出力される。遊技状態指定コマンドを出力バッファに記憶させた後か、電サポ状態の終了条件が成立していないか（Ｓ９１２：ｎｏ）、もしくは既に非電サポ状態である場合には（Ｓ９１１：ｎｏ）、図柄変動遊技の待機状態に戻すために特別動作ステータスを「１」に更新する（Ｓ９１５）。そして、図柄変動遊技が終了したことを示す変動停止コマンドの出力設定をすべく、変動停止コマンドをＲＡＭ２０３の出力バッファに記憶させる（Ｓ９０８）。こうすることで、出力バッファに記憶された変動停止コマンドは次回の出力処理（Ｓ１００）で、サブ制御基板２２０に出力される。変動停止コマンドの出力設定が終わると、本特別図柄確定処理（Ｓ９０８）を終了する。
【０１２０】
以上では、停止表示された図柄が外れ図柄であった場合の流れについて説明したが、大当り図柄である場合には（Ｓ９０２：ｙｅｓ）、大当り状態を設定する（Ｓ９０３）。大当り状態では、まずオープニングを開始するとともに（Ｓ９０４）、オープニングが開始されたことを示すオープニングコマンドの出力設定をすべく、オープニングコマンドをＲＡＭ２０３の出力バッファに記憶させる（Ｓ９０５）。こうすることで、出力バッファに記憶されたオープニングコマンドは次回の出力処理（Ｓ１００）で、サブ制御基板２２０に出力される。オープニングコマンドがサブ制御基板２２０に出力されると、サブ制御基板２２０にて、オープニングに対応したオープニング演出が実行される。
【０１２１】
オープニングコマンドの出力設定が終わると、次回の特別動作処理（Ｓ６００）で特別電動役物処理（Ｓ１０００）が行われるように、特別動作ステータスを「４」に更新する。そして、上述した変動停止コマンドの出力設定をすべく、変動停止コマンドをＲＡＭ２０３の出力バッファに記憶させる（Ｓ９０８）。出力バッファに記憶された変動停止コマンドは、次回の出力処理（Ｓ１００）でサブ制御基板２２０に出力される。変動停止コマンドが出力バッファに記憶されると、本特別図柄確定処理（Ｓ９００）を終了する。
【０１２２】
＜特別電動役物処理＞
特別動作ステータスが「４」に更新されると、上述したように大当り状態への移行に伴って大当り遊技を実行する特別電動役物処理（Ｓ１０００）が行われる。図１７〜図１９に示すように、特別電動役物処理（Ｓ１０００）では、先ずオープニングを開始してからの時間が予め定められたオープニング時間を経過したか否かを判定する（Ｓ１００１）。そして、オープニング時間を経過すると（Ｓ１００１：ｙｅｓ）、オープニングを終了させるとともに、大入賞口２０の開放パターン（開放回数、開放時間、閉鎖時間など）を設定して大当り遊技を開始する（Ｓ１００２）。そして、大当り遊技が開始されたことを示す大当り遊技開始コマンドの出力設定をすべく、大当り遊技開始コマンドをＲＡＭ２０３の出力バッファに記憶させる（Ｓ１００３）。出力バッファに記憶された大当り遊技開始コマンドは、次回の出力処理（Ｓ１００）でサブ制御基板２２０に出力される。この大当り遊技開始コマンドを受信したサブ制御基板２２０は、大当り遊技に対応した大当り遊技演出を開始する。
【０１２３】
大当り遊技が開始された後は、その大当り遊技の終了条件が成立したか否かを判定する（Ｓ１００４）。本実施例では、所定数のラウンド遊技が終了することが、大当り遊技の終了条件となっている。すなわち、大当り遊技が開始されると、まずラウンド遊技の開始条件（以下、「ラウンド開始条件」ともいう）が成立したか否かを判定する。１回目のラウンド遊技については、大当り遊技が開始されたことがラウンド開始条件となっており、２回目以降のラウンド遊技については、直前のラウンド遊技が終了してから所定時間が経過したことがラウンド開始条件となっている。このラウンド開始条件が成立した場合には、ラウンド遊技が開始となるため、大入賞口２８を開放する。ラウンド遊技中は、ラウンド遊技の終了条件（以下、「ラウンド終了条件」ともいう）が成立したか否かを判定する。ラウンド終了条件は、上述したように、大入賞口２８に所定数（本実施例では９個）の遊技球が入球したこと（９カウント）または所定時間（本実施例では３０秒）が経過したこととなっている。ラウンド終了条件が成立した場合には、ラウンド遊技が終了となるため、大入賞口２８を閉鎖して、ラウンド遊技の残り実行回数を示すラウンドカウンタの値から１を減算する。そして、ラウンドカウンタの値が０になったか否かを判定する。ラウンドカウンタの値が０でない場合には、大当り遊技を継続させ、ラウンドカウンタの値が０になると、大当り遊技の終了条件が成立したと判定して（Ｓ１００４：ｙｅｓ）、大当り遊技を終了するとともに（Ｓ１００５）、大当り遊技が終了したことを示すエンディングコマンドの出力設定をすべく、エンディングコマンドをＲＡＭ２０３の出力バッファに記憶させる（Ｓ１００６）。出力バッファに記憶されたエンディングコマンドは、次回の出力処理（Ｓ１００）でサブ制御基板２２０に出力される。こうしてエンディングコマンドを受信したサブ制御基板は、大当り遊技のエンディングに対応したエンディング演出を開始する。
【０１２４】
大当り遊技が終了すると、大当り遊技が終了してから所定のエンディング時間が経過したか否かを判定する（図１８のＳ１０１１）。その結果、エンディング時間が経過した場合には（Ｓ１０１１：ｙｅｓ）、エンディングを終了させるとともに、前述したカード挿入状態フラグが「１」であるか否かを判定することによって、カードユニット６０にカードが挿入された状態であるか否かを判定する（Ｓ１０１２）。そして、カード挿入状態フラグが「１」である場合には、カードユニット６０にカードが挿入されているので、インターバル中フラグが「０」であるか否かを判定する（Ｓ１０１３）。ここでインターバル中フラグとは、カードユニット６０にカードが挿入された状態であることを遊技者に報知するためのインターバル期間中であることを示すフラグであり、インターバル期間中でなければ「０」にセットされ、インターバル期間中であれば「１」にセットされる。なお、初期状態では、「０」が設定されている。
【０１２５】
大当り遊技終了直後は、インターバル中フラグは「０」に設定されているので、所定のインターバル時間を設定するとともに（Ｓ１０１４）、インターバル中フラグを「１」に設定し（Ｓ１０１５）、さらに、カードが挿入された状態であることの報知を指令するカード報知コマンドの出力設定をする（Ｓ１０１６）。すなわち、カード報知コマンドをＲＡＭ２０３の出力バッファに記憶させる。出力バッファに記憶されたカード報知コマンドは、次回の出力処理（Ｓ１００）でサブ制御基板２２０に出力される。こうすることで、大当り遊技（大当り状態）が終了した際に、インターバル期間を設定し、そのインターバル期間中に、カードが挿入された状態であることを遊技者に報知することが可能となる。
【０１２６】
なお、カードが挿入された状態であることを遊技者に報知するタイミングは、遊技球の増加が期待できる状態への移行が決定した後、あるいは遊技球の増加が期待できる状態へ移行した後であればいつでもよいので、大当り状態（大当り遊技）が終了した際に限らない。例えば、大当り状態（大当り遊技）が開始される際とすることもできるし、大当り状態中（大当り遊技中）とすることもできる。
【０１２７】
こうしてインターバル中フラグが「１」に設定されると、次回以降の特別電動役物処理（Ｓ１０００）では、Ｓ１０１３にてインターバル中フラグが「１」であると判定されるので（Ｓ１０１３：ｎｏ）、インターバルが開始されてから、所定のインターバル時間が経過したか否かを判定する（Ｓ１０２１）。そして、インターバル時間が経過すると（Ｓ１０１２：ｙｅｓ）、インターバル中フラグを「０」に設定して（Ｓ１０２２）、高確率状態かつ電サポ状態を設定し（Ｓ１０２３）、移行後の遊技状態を示す遊技状態指定コマンドの出力設定をする（Ｓ１０２４）。すなわち、遊技状態指定コマンドをＲＡＭ２０３の出力バッファに記憶させる。出力バッファに記憶された遊技状態指定コマンドは、次回の出力処理（Ｓ１００）でサブ制御基板２２０に出力される。こうすることで、サブ制御基板２２０は遊技状態を認識することができるとともに、インターバル期間の終了を認識することができ、カードの報知を終了させることができる。なお、遊技状態指定コマンドとは別に、カードの報知の終了を指令するカード報知終了コマンドを出力するようにしてもよい。こうして遊技状態指定コマンドの出力設定が終了すると、図柄変動遊技の待機状態に戻すために特別動作ステータスを「１」に更新してから、本特別電動役物処理（Ｓ１０００）を終了する。
【０１２８】
なお、本実施例では、インターバル期間を大当り状態の一部としたが、電サポ状態（または非電サポ状態）あるいは低確率状態（または高確率状態）の一部としてもよいし、大当り状態と電サポ状態（または非電サポ状態）あるいは低確率状態（または高確率状態）との間の期間としてもよい。
【０１２９】
以上では、カード挿入状態フラグが「１」に設定されている場合について説明したが、カード挿入状態フラグが「０」に設定されている場合には（Ｓ１０１２：ｎｏ）、インターバル中フラグが「０」であるか否かを判定する（図１９のＳ１０３１）。大当り遊技の終了直後である場合にはインターバル中フラグが「０」と判定されるので（Ｓ１０３１：ｙｅｓ）、上述したＳ１０１２〜Ｓ１０２５と同様に、高確率状態かつ電サポ状態を設定するとともに（Ｓ１０３４）、遊技状態指定コマンドの出力設定を行う（Ｓ１０３５）。そして、特別動作ステータスを「１」に更新してから（Ｓ１０３６）、本特別電動役物処理（Ｓ１０００）を終了する。すなわち、大当り状態（大当り遊技）が終了すると、インターバル期間が設定されることなく、図柄変動遊技が実行される。
【０１３０】
また、大当り遊技（大当り状態）が終了した時点では、カード挿入状態フラグが「１」に設定されていたが、途中でカードが排出されて、カード挿入状態フラグが「０」に切り替わることがある。この場合には、Ｓ１０３１にて、インターバル中フラグが「１」であると判定され（Ｓ１０３１：ｎｏ）、カードが挿入された状態であることの報知を中止させる報知中止コマンドの出力設定を行う（Ｓ１０３２）。すなわち、報知中止コマンドをＲＡＭ２０３の出力バッファに記憶させる。出力バッファに記憶された報知中止コマンドは、次回の出力処理（Ｓ１００）でサブ制御基板２２０に出力される。この報知中止コマンドを受信したサブ制御基板２２０では、カードが挿入された状態であることの報知を中止させるための処理が行われる。こうすることで、カードが排出された後も継続して報知することで、遊技者に不快感を与えてしまうといった事態の発生を抑制することが可能となる。また、インターバル中フラグを「０」に戻す（Ｓ１０３３）。こうすることで、カードが排出された場合に、速やかに図柄変動遊技へ移行させることが可能となる。そして、上述したＳ１０１２〜Ｓ１０２５と同様に、高確率状態かつ電サポ状態を設定するとともに（Ｓ１０３４）、遊技状態指定コマンドの出力設定を行う（Ｓ１０３５）。さらに、特別動作ステータスを「１」に更新してから（Ｓ１０３６）、本特別電動役物処理（Ｓ１０００）を終了する。
【０１３１】
このように、主制御基板２００では、遊技制御処理が実行され、その結果、遊技が進行する。そして、サブ制御基板２２０では、主制御基板２００から受信した各種コマンドに基づき、遊技の進行に伴って演出が実行される。
【０１３２】
Ｄ．演出制御処理  ：
図２０は、サブ制御基板２２０のＣＰＵ２２１が、演出に係る制御として行う演出制御処理の大まかな流れを示したフローチャートである。演出制御処理は、サブ制御基板２２０のＣＰＵ２２１によって、所定周期毎（例えば１０ｍｓｅｃ毎）に発生するタイマ割り込みに基づき行われる。以下、フローチャートに従って、サブ制御基板２２０のＣＰＵ２２１が行う演出制御処理について説明する。尚、以下の説明では、ＣＰＵ２２１の初期化処理や、割り込み禁止処理、割り込み許可処理などの周知の処理については、その説明を省略している。
【０１３３】
演出制御処理を開始すると、サブ制御基板２２０のＣＰＵ２２１は先ず、コマンド解析処理を行う（Ｓ１２００）。ここで、サブ制御基板２２０のＣＰＵ２２１は、主制御基板２００からコマンドを受信するたびに、外部割り込み処理として、このコマンドをＲＡＭ２２３の受信コマンド記憶領域に記憶している。コマンド解析処理（Ｓ１２００）では、この受信コマンド記憶領域に記憶されたコマンド、すなわち、主制御基板２００から受信したコマンドに対応する演出を決定し、この演出を行うために画像音声制御基板２３０やランプ制御基板２２６等に送信するコマンドをＲＡＭ２２３に確保された出力バッファに記憶する。
【０１３４】
サブ制御基板２２０のＣＰＵ２２１は、続いて、出力処理を行う（Ｓ１３００）。この処理では、ＲＡＭ２２３の出力バッファに記憶されたコマンドを画像音声制御基板２３０やランプ制御基板２２６等に送信する。サブ制御基板２２０からコマンドを受信すると、画像音声制御基板２３０は、受信したコマンドに対応する画像を演出表示装置４１に表示すると共に、受信したコマンドに対応する音声をスピーカー６等から出力する。また、ランプ制御基板２２６は、受信したコマンドに対応する発光パターンで各種ランプ５ａ〜５ｃ等を発光させる。
【０１３５】
以上のように、サブ制御基板２２０は、画像音声制御基板２３０やランプ制御基板２２６等と協働して各種演出を実行するが、本明細書では説明の便宜上、サブ制御基板２２０が画像音声制御基板２３０やランプ制御基板２２６等と協働して各種演出を実行することを、単に、「サブ制御基板２２０のＣＰＵ２２１が各種演出を実行する」とも表現する。
【０１３６】
図２１には、主制御基板２００から受信したコマンドに対応して、サブ制御基板２２０のＣＰＵ２２１が行う処理を示している。図２１に示すように、サブ制御基板２２０のＣＰＵ２２１は、事前判定結果コマンドを受信した場合は、事前判定結果に基づく演出である事前演出を行う。例えば、事前判定結果に対応するキャラクタ等の画像を演出表示装置４１に表示させたり、演出表示装置４１の第１保留表示領域や第２保留表示領域に表示する保留図柄の態様を事前判定結果に対応する態様としたりする。尚、事前判定演出は、事前判定結果コマンドを受信した場合において、常時行う必要はなく、所定の条件が成立したら（例えば所定の実行抽選に当選したら）行うこととしてもよい。
【０１３７】
また、図２１に示すように、サブ制御基板２２０のＣＰＵ２２１は、変動パターン指定コマンドを受信すると、特別図柄（第１特図または第２特図）の変動表示に伴って図柄変動演出（識別図柄の変動表示を含む）を開始する。
【０１３８】
サブ制御基板２２０のＲＯＭ２２２には、変動パターンに対応した図柄変動演出の実行パターンが記憶されている。このため、サブ制御基板２２０のＣＰＵ２２１は、変動パターン指定コマンドを受信すると、変動パターン指定コマンドが示す変動パターンに対応する図柄変動演出を選択し、その図柄変動演出を実行する。こうすることで、特別図柄の変動表示に合わせて図柄変動演出が実行される。
【０１３９】
サブ制御基板２２０のＣＰＵ２２１は、上述した図柄変動演出の実行中に変動停止コマンドを受信すると、図柄変動演出を終了する（識別図柄を停止表示させる）。
【０１４０】
また、図２１に示すように、サブ制御基板２２０のＣＰＵ２２１は、オープニングコマンドを受信すると、オープニングの開始に伴ってオープニング演出を開始する。
【０１４１】
また、図２１に示すように、サブ制御基板２２０のＣＰＵ２２１は、大当り遊技開始コマンドを受信すると、上述したオープニング演出を終了するとともに、大当り遊技中に行う大当り遊技演出を開始する。
【０１４２】
また、図２１に示すように、サブ制御基板２２０のＣＰＵ２２１は、エンディングコマンドを受信すると、上述した大当り遊技演出を終了するとともに、エンディング中に行うエンディング演出を開始する。
【０１４３】
また、図２１に示すように、サブ制御基板２２０のＣＰＵ２２１は、カード報知コマンドを受信すると、上述したエンディング演出を終了するとともに、カードユニット６０にカードが挿入された状態であることを示すカード報知演出を実行する。カード報知演出については、後ほど詳しく説明する。
【０１４４】
また、図２１に示すように、サブ制御基板２２０のＣＰＵ２２１は、報知中止コマンドを受信すると、上述したカード報知演出を中止させる。
【０１４５】
また、図２１に示すように、サブ制御基板２２０のＣＰＵ２２１は、遊技状態指定コマンドを受信すると、その遊技状態指定コマンドが示す遊技状態に対応した演出を実行する。例えば、識別図柄４１ａ，４１ｂ，４１ｃやその背景画像を遊技状態に対応する態様（色彩や形状など）とする演出を実行したり、電サポ状態が設定された場合は残りの電サポ回数を表示する演出を開始したりする。また、上述したカード報知演出を実行している状態で、前記遊技状態指定コマンドを受信すると、そのカード報知演出を終了するとともに、その後の遊技状態に対応した演出を実行する。
【０１４６】
Ｅ．特定演出  ：
上述した変動パターン指定コマンドを受信して実行する図柄変動演出の中では、実行された場合に、実行されなかった場合よりも特典（本実施例では大当り状態への移行）が付与される可能性が高いことを示唆する特定演出が実行可能とされている。図２２（ａ）には、識別図柄が変動表示されている様子が示されており、図２２（ｂ）には、識別図柄が変動表示されている最中に、特定演出が実行された様子が示されている。本実施例では、特定演出として、特定図柄４１ｚ（ここでは星を表した図柄）が表示画面上を移動する（ここでは星が流れる）演出が実行される。こうした特定演出が実行されることにより、特典が付与される可能性が実行されなかった場合よりも高いことが示唆されるので、特典が付与されることへの遊技者の期待を煽ることが可能となっている。
【０１４７】
また、こうした特典演出の実行確率は、残高に基づいて変化するようになっている。このため、残高に応じて特典演出の実行確率が変化するという従来にない斬新な遊技性が実現され、その結果、遊技の興趣を高めることが可能となっている。さらに、図２３に示すように、本実施例のパチンコ機１では、残高が所定値以上（ここでは２０００円以上（２０度数以上））である場合には上述した特定演出を実行する確率が相対的に低く、残高が所定値未満（ここでは２０００円未満（２０度数未満））である場合には上述した特定演出を実行する確率が相対的に高くなっている。このため、残高が所定値を切ると、特定演出が実行されやすくなる。このように、残高が所定値を切って、特典演出が実行されやすくなると、遊技者はそろそろ特典が付与されるのではないかと感じる。その結果、残高が無くなった後も、あと少しで特典が付与されるのではないかと期待して、紙幣を追加で投資し遊技を継続しやすくなる。従って、残高が無くなって遊技者が遊技を止めやすい状況下で、さらに追加投資して遊技を継続する可能性が高まるので、パチンコ機１の稼働を向上させることが可能となる。
【０１４８】
なお、図２３に示す例では、残高に基づいて特定演出の実行確率が１段階しか変化しないようになっているが、複数段階変化するようにしてもよい。例えば、残高が２０００円を切ると特定演出の実行確率を低くし、残高が１０００円を切ると特定演出の実行確率をさらに低くするようにしてもよい。
【０１４９】
また、特定演出を実行するか否かは、特定演出を含む図柄変動演出が選択されたか否かによって決定するようにしてもよいし、特典演出を実行するか否かの抽選を行い、その抽選結果によって決定するようにしてもよい。
【０１５０】
Ｆ．カード報知演出  ：
図２４には、上述したカード報知演出の一例が示されている。図２４に示すように、カード報知演出では、カードユニット６０にカードが挿入されている状態であることを示す情報（ここでは、「カードが挿入されています」という文字情報）が、演出表示装置４１の表示画面上に表示されるとともに、スピーカー６から、カードユニット６０にカードが挿入されている状態であることを示す情報（ここでは、「カードが挿入されています」という音声情報）が出力される。なお、カードユニット６０にカードが挿入されている状態であることを示す情報を出力する代わりに、カードユニット６０に挿入されているカードを排出するように促す情報（例えば、「カードを取り出してください」という文字情報や音声情報など）を出力するようにしてもよい。
【０１５１】
図２５には、大当り状態の終了後にカード報知演出が実行される様子が時系列で示されている。図２５（ａ）に示す例では、エンディングが終了したタイミングで、カードユニット６０にカードが挿入されていないと判定している。このため、カード報知演出を実行することなく、電サポ状態かつ高確率状態（または低確率状態）へ移行して、この遊技状態に対応した演出を実行している。
【０１５２】
図２５（ｂ）に示す例では、エンディングが終了したタイミングで、カードユニット６０にカードが挿入されていると判定している。このため、エンディングが終了した後、インターバル期間を設定し、そのインターバル期間中にてカード報知演出を実行している。その後、カードが排出されることなく、インターバル時間が経過したので、その時点でインターバル期間を終了するとともに、カード報知演出を終了している。そして、電サポ状態かつ高確率状態（または低確率状態）へ移行して、この遊技状態に対応した演出を実行している。
【０１５３】
図２５（ｃ）に示す例では、図２５（ｂ）と同様に、エンディングが終了したタイミングで、カードユニット６０にカードが挿入されていると判定している。このため、エンディングが終了した後、インターバル期間を設定し、そのインターバル期間中にてカード報知演出を実行している。しかし、その後、インターバル時間が経過する前の段階で、カードが排出されたと判定されている。このため、カードが排出された時点で、インターバル期間を終了するとともに、カード報知演出を中止している。そして、電サポ状態かつ高確率状態（または低確率状態）へ移行して、この遊技状態に対応した演出を実行している。
【０１５４】
尚、本実施例では、大当り状態の種類に関わらず、大当り状態が終了する際にカードが挿入された状態であればカード報知演出を実行するようにしたが、特定の大当り状態が終了する際にカードが挿入されている場合にカード報知演出を実行するようにしてもよい。換言すると、特定の大当り状態が終了する際にはカード報知演出を制限するようにしてもよい。例えば、ラウンド数が所定数以上の大当り状態が終了する際にカードが挿入されている場合にカード報知演出を実行するようにしてもよい。大当り状態で付与される遊技価値の数量が少ない場合には、あえてカードを挿入したままとする遊技者も存在し、こうした遊技者に対してカード報知演出を実行すると不快感を与える可能性がある。このため、大当り状態で付与される遊技価値の数量が少ない場合には、カード報知演出を制限することで遊技者に不快感を与えることを抑制することができる。
【０１５５】
上記の実施例では、遊技機として、遊技ホールの島設備から供給される遊技球を払い出すことによって、遊技の結果としての利益（遊技価値）を遊技者に付与するパチンコ機１を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
【０１５６】
上記の実施例では、遊技機をパチンコ機として説明したが、いわゆるスロットマシンとしてもよい。
【０１５７】
＜実施例から抽出される遊技機＞
上記実施例からは以下の遊技機を抽出することができる。
【０１５８】
＜遊技機Ａ１＞
所定の記憶媒体（上記実施例ではカード）を受け付け可能な記憶媒体処理装置（上記実施例ではカードユニット６０）とともに設けられる遊技機であって、
所定の特定条件が成立すると、遊技価値の数量を増加させることが可能な特定遊技状態（上記実施例では大当り状態）へ移行させる特定遊技状態移行手段と
前記記憶媒体処理装置に前記記憶媒体が挿入された状態であるか否かを示す挿入状態情報を、前記記憶媒体処理装置から受信する受信手段と、
前記受信した挿入状態情報に基づいて、前記記憶媒体が前記記憶媒体処理装置に挿入された状態であるか否かを判定する判定手段と、
前記記憶媒体が挿入されていた場合には、該記憶媒体が挿入された状態であることを、前記特定遊技状態へ移行する際か、前記特定遊技状態中か、もしくは前記特定遊技状態が終了する際の少なくとも何れかのタイミングで遊技者に報知する報知手段と、
を備えたことを特徴とする遊技機。
【０１５９】
遊技者は、借り受けた遊技価値を用いて遊技を行っている状態では、借り受けた遊技価値がなくなるごとに、新たに遊技価値を借りなければならないので、記憶媒体を記憶媒体処理装置に挿入したままとする。そして、遊技価値の数量を増加させることが可能な特定遊技状態へ移行すると、その特定遊技状態で獲得した遊技価値を利用して遊技を継続する。このように、特定遊技状態へ移行した場合には、しばらく新たに遊技価値を借りる必要がなくなるので、新たに遊技価値を借りる必要が無くなったところで、カードを回収するように促すことが好ましい。上述した遊技機Ａ１によれば、遊技価値を借りる必要が無くなったところで、記憶媒体が挿入された状態であることを遊技者に報知するので、遊技者が記憶媒体を取り忘れることを抑制することが可能となっている。さらに、こうした報知は、記憶媒体が記憶媒体処理装置に挿入されているか否かを判定した結果、挿入されていると判定した場合に実行される。このため、記憶媒体が挿入されていない場合にまで報知することで、既に記憶媒体を回収済みの遊技者に対して不快感を与えてしまうといったような事態の発生が抑制される。
【０１６０】
＜遊技機Ａ２＞
遊技機Ａ１に記載された遊技機であって、
前記判定手段は、前記記憶媒体が前記記憶媒体処理装置に挿入された状態であるか否かを、前記特定遊技状態へ移行する際か、前記特定遊技状態中か、もしくは前記特定遊技状態が終了する際の少なくとも何れかのタイミングで判定し、
前記報知手段は、前記記憶媒体が挿入された状態であると判定されたタイミングで報知する
ことを特徴とする遊技機。
【０１６１】
こうすれば、遊技価値を借りる必要が無くなったところで記憶媒体が挿入された状態であるか否かが判定され、挿入された状態であると判定されたタイミングで報知されるので、記憶媒体が挿入されていない場合にまで報知することで、既に記憶媒体を回収済みの遊技者に対して不快感を与えてしまうといったような事態の発生がより確実に抑制される。
【０１６２】
＜遊技機Ａ３＞
遊技機Ａ１または遊技機Ａ２に記載された遊技機であって、
前記報知手段は、前記記憶媒体が挿入された状態であることを報知中に、該記憶媒体が前記記憶媒体処理装置から排出されたと判定された場合には、前記報知を終了する
ことを特徴とする遊技機。
【０１６３】
こうすれば、記憶媒体が排出されたところで、上記報知を終了させることができる。従って、排出した後も、報知を継続することによって、遊技者に不快感を与えてしまうといったような事態の発生を抑制することが可能となっている。
【０１６４】
上述した遊技機Ａ１〜Ａ３によれば、「遊技ホールには、遊技価値（例えば、遊技媒体や遊技ポイントなど）を利用して遊技を行う遊技機（例えば、パチンコ機やスロットマシンなど）が複数設置されている。これら各遊技機の側方には、所定の記憶媒体（例えば、プリペイドカードや、残高が記憶された会員カードなど）を受け付ける記憶媒体処理装置が設けられており、この記憶媒体が挿入された状態で遊技機などに設けられた所定の操作部（例えば、球貸ボタン）が操作されると、その記憶媒体の残高に基づいて、遊技価値が遊技者に付与または貸与される（例えば、特開２０１６−００５６９０号公報など）。こうしたシステムが導入された遊技ホールでは、遊技者は、遊技によってある程度の遊技価値が得られるまで、たびたび遊技価値の付与または貸与を受けることとなるので、記憶媒体を挿入したままの状態で遊技を行う傾向がある。」という背景技術の下にある「しかし、遊技者は、遊技によってある程度の遊技価値が得られると、新たな遊技価値の付与または貸与を受けることなく、獲得した遊技価値を利用して遊技を継続するので、記憶媒体を挿入していたことを忘れてしまい、記憶媒体を回収し忘れたまま遊技を終了してしまうという問題があった。」という課題のうち、少なくとも一部を解決することができる。また、「記憶媒体処理装置に挿入された記憶媒体の取り忘れを抑制する」という発明の効果を得ることができる。
【０１６５】
＜遊技機Ｂ１＞
所定の記憶媒体（上記実施例ではカード）に記憶された記憶情報、または前記記憶媒体の識別情報に対応付けて記憶された記憶情報のうち、少なくとも一方の記憶情報を読み出す記憶媒体処理装置（上記実施例ではカードユニット６０）とともに設けられた遊技機であって、
前記記憶情報を遊技機外部から受信する受信手段と、
前記受信した記憶情報を考慮して、遊技に関する処理を実行する遊技処理手段と
を備えたことを特徴とする遊技機。
【０１６６】
こうすれば、記憶媒体処理装置が読み出した記憶情報を考慮して、遊技に関する処理を実行するという従来にない斬新な遊技性が実現されるので、遊技の興趣を向上させることが可能となっている。
【０１６７】
＜遊技機Ｂ２＞
遊技機Ｂ１に記載された遊技機であって、
前記遊技処理手段は、前記記憶情報のうち、遊技に利用される遊技価値（上記実施例では遊技球）を遊技者に付与または貸与する際に用いられる残高情報を考慮して、前記遊技に関する処理を実行する
ことを特徴とする遊技機。
【０１６８】
残高情報は、遊技者の心理状態に影響を与えることがある。例えば、残高が多い状態では遊技者に余裕があるが、残高が少なくなると余裕がなくなって緊張感が高まる傾向がある。上述した遊技機Ｂ２によれば、残高情報を考慮することで、遊技者の心理状態を考慮した遊技性を実現することができるので、その結果、遊技の興趣を向上させることが可能となっている。
【０１６９】
＜遊技機Ｂ３＞
遊技機Ｂ２に記載された遊技機であって、
所定の演出を実行する演出実行手段を備え、
前記演出実行手段は、実行された場合には実行されなかった場合よりも所定の特典（上記実施例では大当り状態）が付与される可能性が高いことを示す特定演出を実行可能としており、
前記遊技処理手段は、前記残高情報を考慮して、前記特定演出を実行する確率を変化させる
ことを特徴とする遊技機。
【０１７０】
上述したように、残高情報は遊技者の心理状態に影響を与えることがあるので、残高情報を考慮して特定演出を実行する確率を変化させることで、遊技者の心理状態に応じて遊技者の特典付与に対する期待感の煽り方を変化させることができ、その結果、遊技の興趣を高めることが可能となっている。
【０１７１】
＜遊技機Ｂ４＞
遊技機Ｂ３に記載された遊技機であって、
前記遊技処理手段は、前記残高情報が示す残高が所定値以下になると、前記特定演出の実行確率を高くする
ことを特徴とする遊技機。
【０１７２】
遊技者は、残高が無くなったタイミングで遊技を止めやすくなるという傾向がある。そこで、上述した遊技機Ｂ４では、残高が所定値以下になると、特定演出の実行確率を高くするようにしている。特定演出の実行確率が高くなると、そろそろ特典が付与されるのではないかと考える遊技者も存在するので、こうした遊技者に対し、残高が無くなった後も、そろそろ特典が付与されるのではないかと期待させ、紙幣を追加で投入させて、遊技を継続させることができ、その結果、遊技機の稼働を向上させることが可能となる。
【０１７３】
＜遊技機Ｂ５＞
遊技機Ｂ２ないし遊技機Ｂ４のうちの何れか一項に記載された遊技機であって、
所定の変動開始条件が成立すると、識別図柄を変動表示させる変動表示手段と、
所定の特典を付与するか否かに基づいて、前記識別図柄を変動表示させる規定変動時間を設定する規定変動時間設定手段と、
前記規定変動時間が経過すると、前記識別図柄を停止表示させる停止表示手段と
を備え、
前記遊技処理手段は、前記残高情報を考慮して、前記規定変動時間を変化させる
ことを特徴とする遊技機。
【０１７４】
遊技者は、規定変動時間が長いと特典が付与される可能性が高いと考える傾向がある。このため、残高情報を考慮して規定変動時間を変化させることで、遊技者の心理状態に応じて遊技者の特典付与に対する期待感の煽り方を変化させることができ、その結果、遊技の興趣を高めることが可能となっている。
【０１７５】
＜遊技機Ｂ６＞
遊技機Ｂ５に記載された遊技機であって、
前記遊技処理手段は、前記残高情報が示す残高が所定値以下になると、前記規定変動時間を長くする
ことを特徴とする遊技機。
【０１７６】
遊技者は、残高が無くなったタイミングで遊技を止めやすくなるという傾向がある。そこで、上述した遊技機Ｂ６では、残高が所定値以下になると、規定変動時間を長くするようにしている。規定変動時間が長くなると、そろそろ特典が付与されるのではないかと考える遊技者も存在するので、こうした遊技者に対し、残高が無くなった後も、そろそろ特典が付与されるのではないかと期待させ、紙幣を追加で投入させて、遊技を継続させることができ、その結果、遊技機の稼働を向上させることが可能となる。
【０１７７】
上述した遊技機Ｂ１〜Ｂ６によれば、「従来、遊技価値（例えば、遊技媒体や遊技ポイントなど）を利用して遊技を行う遊技機（例えば、パチンコ機やスロットマシンなど）が知られている。こうした遊技機では一般に、所定の抽選条件が成立すると、所定の抽選を行い、その抽選結果に基づいて遊技者に所定の特典を付与する。また、抽選を行った後、特典を付与する前の段階で、特典が付与される可能性を示唆する（例えば、特開２０１６−４９３８１号公報など）。こうすることで、特典が付与されることへの遊技者の期待を煽ることができる。」という背景技術の下にある「しかし、こうした遊技性も一般化するにつれて新鮮味が無くなり、その結果、遊技者の関心が薄れ、遊技機の稼働の低下につながるという問題があった。」という課題のうち、少なくとも一部を解決することができる。また、「遊技の興趣を高める」という発明の効果を得ることができる。
【０１７８】
＜遊技機Ｃ１＞
所定の記憶媒体（上記実施例ではカード）に記憶された残高情報、または前記記憶媒体の識別情報に対応付けて記憶された残高情報のうち、少なくとも一方の残高情報を読み出す記憶媒体処理装置（上記実施例ではカードユニット６０）とともに設けられ、前記残高情報に基づいて付与または貸与された遊技価値（上記実施例では遊技球）を利用して遊技を行う遊技機であって、
複数のセグメント素子を有し、該セグメント素子の各々についての点灯の有無を指定する複数のセグメント信号を前記記憶媒体処理装置から受け取って、該複数のセグメント信号に対応する前記セグメント素子を点灯状態あるいは消灯状態とすることにより、前記残高情報を表示するセグメント表示器（上記実施例では度数表示器１３、７セグメント表示器１４，１５，１６）と、
前記記憶媒体処理装置から前記セグメント表示器のセグメント素子に向けて出力される複数の前記セグメント信号を取得して、前記セグメント表示器によって表示される前記残高情報を特定する残高情報特定手段（上記実施例では中継基板３１０における残度数を特定する機能）と、
前記特定された残高情報を、前記遊技に関する処理を実行する制御基板（上記実施例では、主制御基板２００、サブ制御基板２２０、画像音声制御基板２３０）に出力する出力手段と
を備えたことを特徴とする遊技機。
【０１７９】
こうすれば、制御基板は、セグメント信号から残高を特定する処理を実行することなく、残高を認識することが可能となるので、制御基板が残高を認識するための処理負担を軽減させることが可能となる。
【０１８０】
＜遊技機Ｃ２＞
遊技機Ｃ１に記載された遊技機であって、
前記残高特定手段は、前記残高情報を特定するとともに、該残高情報が更新されたか否かを判定し、
前記出力手段は、更新されたと判定されると、更新後の前記残高情報を前記制御基板に出力する
ことを特徴とする遊技機。
【０１８１】
こうすれば、制御基板は、受信した残高情報に基づいて残高が更新されたか否かを継続的に監視することなく残高の更新状態を認識することができるので、制御基板における残高情報を更新するための処理負担を軽減させることが可能となる。
【０１８２】
上述した遊技機Ｃ１〜Ｃ２によれば、「遊技ホールには、遊技価値（例えば、遊技媒体や遊技ポイントなど）を利用して遊技を行う遊技機（例えば、パチンコ機やスロットマシンなど）が複数設置されている。これらの各遊技機の側方には、所定の記憶媒体（例えば、プリペイドカードや、会員カードなど）を受け付ける記憶媒体処理装置が設けられており、遊技機などに設けられた所定の操作部（例えば、球貸ボタン）が操作されると、その記憶媒体の残高に基づいて、遊技者に遊技価値が付与または貸与される。こうしたシステムに対応した遊技機には、残高情報（例えば、残高度数）を表示する残高表示部が設けられており、記憶媒体処理装置から出力された信号を受けて残高情報が表示される（例えば、特許文献１）。また、上述した残高表示部は、一般的に７セグメント表示器で構成されており、記憶媒体処理装置から出力されるセグメント信号によって各セグメント素子の点灯状態が制御されることで、残高情報が表示されるようになっている。このため、遊技機側で表示制御を行うことなく、残高表示部に残高情報を表示させることが可能となっている。さらに、この残高情報は、表示演出が実行される表示部でも表示させるなど活用の幅を広げる余地がある。」という背景技術の下にある「しかし、上述した制御基板が残高情報を認識するためには、セグメント信号によって表される数値を特定しなければならないので、そのための処理負担がかかるという問題があった。」という課題のうち、少なくとも一部を解決することができる。また、「制御基板が残高情報を認識するための処理負担を軽減させる」という発明の効果を得ることができる。
【産業上の利用可能性】
【０１８３】
本発明は、遊技価値を用いて遊技を行う遊技機に利用することができる。
【符号の説明】
【０１８４】
１…パチンコ機（遊技機）、    １３…度数表示器、      ４１…表示演出装置、
２００…主制御基板、    ２２０…サブ制御基板、    ２２６…ランプ制御基板、
２３０…画像音声制御基板、    ３１０…中継基板、    ６０…カードユニット。
【図１】
2019013402.tif 000003
【図２】
2019013402.tif 000004
【図３】
2019013402.tif 000005
【図４】
2019013402.tif 000006
【図５】
2019013402.tif 000007
【図６】
2019013402.tif 000008
【図７】
2019013402.tif 000009
【図８】
2019013402.tif 000010
【図９】
2019013402.tif 000011
【図１０】
2019013402.tif 000012
【図１１】
2019013402.tif 000013
【図１２】
2019013402.tif 000014
【図１３】
2019013402.tif 000015
【図１４】
2019013402.tif 000016
【図１５】
2019013402.tif 000017
【図１６】
2019013402.tif 000018
【図１７】
2019013402.tif 000019
【図１８】
2019013402.tif 000020
【図１９】
2019013402.tif 000021
【図２０】
2019013402.tif 000022
【図２１】
2019013402.tif 000023
【図２２】
2019013402.tif 000024
【図２３】
2019013402.tif 000025
【図２４】
2019013402.tif 000026
【図２５】
2019013402.tif 000027